(57)【要約】プローブを有する機械的試験機器を加熱するように構成された加熱ジャケットを開示する。加熱ジャケットは、ジャケット壁を含む加熱素子を含み、ジャケット壁は、プローブ用中空部の周りに延びており、ジャケット壁は、プローブ用中空部内に機械的試験機器のプローブを受け入れるように構成され、加熱素子は、プローブ間隙でプローブから機械的に分離される。加えて、機械的試験アセンブリの熱機械的ドリフトを補正するシステムを開示する。システムは、例えば、プローブの変位と試料の変位との間の判定された差を使用して、機械的試験機器をシステムフレームの熱機械的ドリフトから分離する。
2021503080.tif 000002
【特許請求の範囲】
【請求項１】
プローブを有する機械的試験機器を加熱するように構成されたプローブ加熱ジャケットにおいて、前記プローブ加熱ジャケットは、
前記機械的試験機器に連結されるように構成された少なくとも１つの固締インターフェースと、
前記少なくとも１つの固締インターフェースから延びている加熱素子とを備え、前記加熱素子は、
前記少なくとも１つの固締インターフェースに連結されているジャケット壁を有し、
前記ジャケット壁は、プローブ用中空部の周りに延びており、前記ジャケット壁は、前記プローブ用中空部内に前記機械的試験機器の前記プローブを受け入れ、前記加熱素子は、プローブ間隙で前記プローブから機械的に分離されている、プローブ加熱ジャケット。
【請求項２】
前記ジャケット壁は前記プローブ用中空部に面する内面を有し、前記内面は、熱を前記プローブ間隙越しに前記プローブに方向付ける、請求項１に記載のプローブ加熱ジャケット。
【請求項３】
前記ジャケット壁が放射加熱素子である、請求項１に記載のプローブ加熱ジャケット。
【請求項４】
前記ジャケット壁が誘導加熱素子である、請求項１に記載のプローブ加熱ジャケット。
【請求項５】
前記機械的試験機器と前記プローブとをさらに備える、請求項１に記載のプローブ加熱ジャケット。
【請求項６】
前記プローブは、前記ジャケット壁の前記プローブ用中空部に受け入れられ、前記プローブは、前記加熱素子から機械的に分離しており、前記プローブは、前記プローブ間隙によって前記ジャケット壁の前記内面から離間している、請求項５に記載のプローブ加熱ジャケット。
【請求項７】
前記機械的試験機器は、前記プローブ用中空部内で前記プローブを移動させ、前記プローブの移動は、前記ジャケット壁から機械的に分離している、請求項５に記載のプローブ加熱ジャケット。
【請求項８】
前記プローブは、前記加熱ジャケットに対して１つ以上の自由度を有する、請求項７に記載のプローブ加熱ジャケット。
【請求項９】
前記ジャケット壁はジャケットプロファイルを有し、
前記プローブはプローブプロファイルを有し、前記プローブプロファイルは前記ジャケットプロファイルと対応し、前記加熱素子及び前記プローブの間にプローブ間隙が設けられ、
前記ジャケット壁は、前記プローブに近接して、前記対応するジャケットプロファイル及びプローブプロファイルに応じて前記プローブを取り囲む、
請求項５に記載のプローブ加熱ジャケット。
【請求項１０】
機械的試験システムにおいて、
材料の試料の１つ以上の機械的特性を試験する可動プローブを有する機械的試験機器と、
前記機械的試験機器を加熱するプローブ加熱ジャケットとを備え、前記プローブ加熱ジャケットは、
前記機械的試験機器に連結する少なくとも１つの固締インターフェースと、
前記少なくとも１つの固締インターフェースから延びている加熱素子と備え、前記加熱素子は、
前記少なくとも１つの固締インターフェースに連結されているジャケット壁を有し、
前記ジャケット壁は、プローブ用中空部の周りに延びており、前記ジャケット壁は、前記プローブ用中空部内に前記機械的試験機器のプローブを受け入れ、前記加熱素子は、プローブ間隙で前記プローブから機械的に分離している、機械的試験システム。
【請求項１１】
前記機械的試験機器は、前記プローブ用中空部内で前記プローブを移動させ、前記プローブの移動は、前記ジャケット壁から機械的に分離している、請求項１０に記載の機械的試験システム。
【請求項１２】
プローブの移動には、前記プローブ用中空部内での並進、回転又は横方向引っ掻き移動のうちの１つ以上を含み、前記ジャケット壁は、前記プローブを前記１つ以上の移動のそれぞれに伴い機械的に分離する、請求項１１に記載の機械的試験システム。
【請求項１３】
前記ジャケット壁はジャケットプロファイルを有し、
前記プローブはプローブプロファイルを含み、前記プローブプロファイルは前記ジャケットプロファイルと対応し、前記加熱素子及び前記プローブの間にプローブ間隙が設けられ、
前記ジャケット壁は、前記プローブに近接して、前記対応するジャケットプロファイル及びプローブプロファイルに応じて前記プローブを取り囲む、
請求項１０に記載の機械的試験システム。
【請求項１４】
前記加熱素子は、放射加熱素子、対流加熱素子、又は誘導加熱素子である、請求項１３に記載の機械的試験システム。
【請求項１５】
環境コンディショニングチャンバをさらに備えており、前記チャンバは、調節された環境を提供し、前記調節された環境は、前記チャンバの周囲環境とは異なる１つ以上の環境特徴を有する、請求項１０に記載の機械的試験システム。
【請求項１６】
前記１つ以上の環境特徴は、温度、圧力、湿度又は流体組成からなる、請求項１５に記載の機械的試験システム。
【請求項１７】
前記プローブ加熱ジャケットは、前記環境コンディショニングチャンバ内に配置される、請求項１５に記載の機械的試験システム。
【請求項１８】
材料の機械的特性を試験するための方法において、
ジャケット壁を有するプローブ加熱ジャケットのプローブ用中空部内に機械的試験機器のプローブを配置する工程であって、前記ジャケット壁は、前記プローブのプローブプロファイルと対応するジャケットプロファイルを有し、前記ジャケット壁は、前記ジャケットプロファイルの前記プローブプロファイルへの対応に応じて前記プローブに近接している、機械的試験機器のプローブを配置する工程と、
前記プローブ加熱ジャケットの加熱素子に通電する工程と、
前記ジャケットプロファイルの前記プローブプロファイルへの対応に応じたプローブ間隙を通して前記ジャケット壁から前記プローブに熱を方向付けて、前記プローブの温度を変える工程と、
機械的又は電気機械的試験を行うために前記プローブを移動させる工程とを備え、
前記プローブの移動中、前記プローブは、前記ジャケット壁から機械的に分離している、方法。
【請求項１９】
前記プローブを移動させる工程は、前記プローブ用中空部内での並進、回転又は横方向引っ掻き移動のうちの１つ以上を行い、前記ジャケット壁は、前記１つ以上の移動のそれぞれに伴い前記プローブを機械的に分離する、請求項１８に記載の方法。
【請求項２０】
前記プローブを材料の試料と係合する工程をさらに備える、請求項１８に記載の方法。
【請求項２１】
前記プローブを前記試料と係合する工程は、機械的試験機器を用いて前記プローブに力を加える工程からなる、請求項１８に記載の方法。
【請求項２２】
試料ステージと、システムフレームに連結された機械的試験機器とを有する機械的試験アセンブリを用いて熱機械的ドリフトを補正するための方法において、
前記機械的試験機器のプローブを、前記試料ステージに連結されている試料と係合する工程であって、前記機械的試験機器、前記試料又は前記試料ステージのうちの１つ以上が熱機械的ドリフトを受ける、前記機械的試験機器のプローブを係合する工程と、
前記係合されたプローブを前記試料に対して負荷により変位させる工程と、
前記変位又は前記負荷のうちの１つ以上を測定する工程と、
前記変位及び前記負荷に応じて前記プローブを用いて前記試料の１つ以上の特徴を判定する工程と、
前記試料に対する前記プローブの前記測定された変位、又は前記判定された１つ以上の特徴のうちの１つ以上における前記熱機械的ドリフトを補正する工程とを備え、前記熱機械的ドリフトを補正する工程は、
前記システムフレームに対する前記プローブの変位を独立して測定する工程と、非接触センサを用いて前記システムフレームに対する前記試料の変位を独立して測定する工程とを含んでなる、方法。
【請求項２３】
前記プローブの前記変位又は前記試料の前記変位を測定する工程は、直交位相検波又は干渉縞計数方式のうちの１つ以上を含む、請求項２２に記載の方法。
【請求項２４】
前記非接触センサは、レーザー干渉計、ファイバ光変位センサ、共焦点センサ、又は静電容量センサのうちの１つ以上からなる、請求項２２に記載の方法。
【請求項２５】
前記非接触センサがレーザー干渉計であり、前記独立して測定する工程は、
１つ以上の光ファイバに入るコヒーレント光ビームを発生させる工程と、
前記１つ以上の光ファイバを通してファイバ端部に前記コヒーレント光ビームを伝送する工程と、
前記コヒーレント光ビームを第１成分ビームと第２成分ビームとに分割する工程と、
前記第１成分ビームを媒体とのファイバインターフェースに反射する工程と、
前記第２成分ビームを前記試料、前記試料ステージ又は前記機械的試験機器に反射する工程と、
光学検出器で前記第１成分ビーム及び前記第２成分ビームを結合する工程と、
前記結合された第１成分ビーム及び前記第２成分ビームを同期復調することによって、前記システムフレームに対する前記試料、前記試料ステージ、又は前記機械的試験機器の変位を判定する工程とを備える、請求項２２に記載の方法。
【請求項２６】
前記熱機械的ドリフトを補正する工程は、前記プローブと前記試料との係合又は前記１つ以上の特徴の測定それぞれの能動的又は受動的な補正のうちの少なくとも１つを含んでなる、請求項２２に記載の方法。
【請求項２７】
前記熱機械的ドリフトを補正する工程は、前記熱機械的ドリフトを打ち消すために、前記プローブ又は前記試料のうちの１つ以上の並進駆動を含む熱機械的ドリフトの能動的補正を含んでなる、請求項２２に記載の方法。
【請求項２８】
前記熱機械的ドリフトを補正する工程は、前記試料の前記１つ以上の特徴の前記判定中、前記熱機械的ドリフトの差し引きを含む熱機械的ドリフトの受動的補正を含んでなる、請求項２２に記載の方法。
【請求項２９】
機械的試験アセンブリにおける熱機械的ドリフトを補正するシステムにおいて、
熱機械的ドリフトを受けるシステムフレームと、
前記システムフレームに連結されている試料ステージと、
前記システムフレームに連結されている機械的試験機器であって、試料と係合して、前記試料に対する深さを負荷により変位させるように構成された可動プローブを含む、機械的試験機器と、
前記機械的試験機器に連結されているレーザー干渉計システムであって、前記レーザー干渉計システムは、
前記プローブと前記機械的試験機器の残りの部分との間に連結されている第１干渉計であって、前記機械的試験機器の残りの部分に対する前記プローブのプローブ変位を判定するように構成された、第１干渉計と、
前記機械的試験機器と前記システムフレームとの間に連結されている第２干渉計であって、前記機械的試験機器に対する前記試料ステージ又は前記試料の試料変位を判定するように構成された、第２干渉計とを備える、レーザー干渉計システムと、
前記プローブ変位と前記試料変位との差を判定し、
前記プローブ変位と前記試料変位との前記判定された差を用いて、前記機械的試験機器を前記システムフレームの前記熱機械的ドリフトから分離する、分離・測定モジュールとを備える、システム。
【請求項３０】
第１ファイバ端部及び第２ファイバ端部を揺動して、変調された光学信号を提供する電気機械的発振器をさらに備える、請求項２９に記載のシステム。
【請求項３１】
前記第１干渉計又は前記第２干渉計のファイバを動的に伸長させて、前記ファイバ内の熱誘導されたドリフトを軽減するファイバストレッチャをさらに備える、請求項２９に記載のシステム。
【請求項３２】
前記ファイバストレッチャが電気機械的素子を備える、請求項３１に記載のシステム。
【発明の詳細な説明】
【技術分野】
【０００１】
本発明は環境コンディショニング機械的試験システムに関する。
【背景技術】
【０００２】
材料（例、金属、ポリマー、複合物等）は、複数の機械的及び電気機械的特性（例、ヤング率、硬さ、延性、抵抗、静電容量等）を有する。材料の機械的及び電気機械的特性を試験するために、１つ以上の機器を使用する。いくつかの例では、ある環境における材料の機械的及び電気機械的特性は、環境の特徴（例、温度、湿度又は流体組成）によって変化する。
【発明の概要】
【０００３】
機械的試験システムに機械的試験機器（例、プローブ先端を有するプローブ）が含まれ、システムは、例えば、試料を押し込むこと、引っ張ること、又は引っ掻くことによって、材料試料の機械的特性を試験する。いくつかの例では、機械的試験機器が加熱され、例えば、材料の試料の温度に実質的に等しくなるまで機械的機器が加熱される。試料の温度に等しい温度（例、それに近い温度を含む）までプローブを加熱することによって、試料と機械的試験機器との間の熱伝達が最小に抑えられる。したがって、試料とプローブとの係合時（例、材料の試料を引っ張ること、引っ掻くこと、又は押し込むことによって）、機械的試験機器により行われる試験の精度及び正確さが改善される。
【０００４】
本発明者らは、特に、解決するべき問題が、機器の形状及びサイズを含む機械的試験機器の機械的もしくは電気機械的特性に影響を与えることなく、又はそれを動かすことなく（例、膨張もしくは収縮、熱機械的ドリフト等により）、機械的試験機器の温度を変えることを含むことができると認識した。加えて、本発明者らは、特に、解決するべき問題が、機械的試験機器に近似の熱伝達を局所化することを含むことができることを認識した。さらに、本発明者らは、特に、解決するべき問題が、機械的試験機器の温度を変えるために利用される加熱素子に印加される応力及びひずみを軽減することを含むことができることを認識した。
【０００５】
この主題は、機械的試験機器から機械的に分離される加熱素子を提供することによる等、この問題の解決策の提供を助けることができる。例えば、また、いくつかの実施例では、加熱素子の一部は、機械的試験機器にごく近接しており、機器に対して複数の方向から熱伝達を可能にするために機器を取り囲みながら、同時に機器を格納して、伝達された熱の漏出を最小に抑える。加えて、加熱素子は、間隙（例、空間、距離、空洞、キャビティ等）によって機械的試験機器から隔てられている。加熱素子を機械的試験機器にごく近接して配置することは（例、プローブの先端をプローブの遠位端に配置する）、機械的試験機器への熱伝達を局所化する。したがって、機械的試験システムの他の部分への熱伝達は最小に抑えられるため、システムの他の部分を加熱する影響が低減される。
【０００６】
機械的に分離した加熱素子で機械的試験機器を加熱するのに対し、他の実施例では、加熱素子は、機械的試験機器の近位端（例、プローブのベース）に直接連結する。加熱素子が発生させた熱は、機械的試験機器を通して機械的試験機器の遠位端に向かって伝導し、そこで、機械的試験機器は試料と係合する。いくつかの実施例では、加熱素子は、機械的試験機器と直接連結されているため、機械的試験機器の加熱が機械的試験機器の機械的反応に影響する（機器に質量を追加する）。代替的に又は追加で、加熱は、機器に連結されているトランスデューサであって、機械的試験機器の変位を測定し、（及び任意選択で）機械的試験機器を駆動し、又は機械的試験機器に加えられる力を測定する、トランスデューサに影響を及ぼす。本明細書で説明するように加熱素子を機械的試験機器から機械的に分離することは、機械的試験機器の加熱をプローブ（例、試料と係合することになる構成要素）に局所化しながら、機器の他の部分の分散加熱と、関連する欠点とを最小に抑える。したがって、機械的試験機器によって行われる試験の精度及び正確さが向上する。
【０００７】
加えて、加熱素子を機械的試験機器から機械的に分離することは、加熱素子に印加される応力及びひずみを軽減する。例えば、いくつかの実施例では、加熱素子は、機械的試験機器に直接連結され、機械的試験機器を、機械的又は電気機械的特性の試験を実施する試料と係合させる。一実施例において、機械的試験システムは、機械的試験機器に力を加える（例、試料を押し込むため、試料を引っ張るため、又は試料を引っ掻くため）。加熱素子を可動プローブ等の機械的試験機器に連結させているため、加えられる力は加熱素子にも印加される。いくつかの例では、加熱素子への力の印加は、加熱素子の寿命又は信頼性を減じ、加熱素子に必要なメンテナンス（例、加熱素子の交換）を増やす。他の例では、加熱素子の追加質量が機器の機械的性能（動き、指定された動きもしくは力に対する信号の忠実度等）及び感度を減じる。本明細書で説明するように、加熱素子を機械的試験機器から機械的に分離することによって、機械的試験機器の動き及び感知に対する加熱素子の質量の影響が最小に抑えられる。したがって、加熱素子及び機械的試験機器の両方の動作寿命又は信頼性が向上する。
【０００８】
本発明の第１の実施形態によれば、プローブを有する機械的試験機器を加熱するように構成されたプローブ加熱ジャケットにおいて、前記プローブ加熱ジャケットは、
前記機械的試験機器に連結されるように構成された少なくとも１つの固締インターフェースと、
前記少なくとも１つの固締インターフェースから延びている加熱素子とを備え、前記加熱素子は、
前記少なくとも１つの固締インターフェースに連結されているジャケット壁を有し、
前記ジャケット壁は、プローブ用中空部の周りに延びており、前記ジャケット壁は、前記プローブ用中空部内に前記機械的試験機器の前記プローブを受け入れ、前記加熱素子は、プローブ間隙で前記プローブから機械的に分離されている、プローブ加熱ジャケットを要旨とする。
【０００９】
第２の実施形態は第１の実施形態において、前記ジャケット壁は前記プローブ用中空部に面する内面を有し、前記内面は、熱を前記プローブ間隙越しに前記プローブに方向付けることを要旨とする。
【００１０】
第３の実施形態は第１の実施形態において、前記ジャケット壁が放射加熱素子であることを要旨とする。
第４の実施形態は第１の実施形態において、前記ジャケット壁が誘導加熱素子であることを要旨とする。
【００１１】
第５の実施形態は第１の実施形態において、前記機械的試験機器と前記プローブとをさらに備えることを要旨とする。
第６の実施形態は第５の実施形態において、前記プローブは、前記ジャケット壁の前記プローブ用中空部に受け入れられ、前記プローブは、前記加熱素子から機械的に分離しており、前記プローブは、前記プローブ間隙によって前記ジャケット壁の前記内面から離間していることを要旨とする。
【００１２】
第７の実施形態は第５の実施形態において、前記機械的試験機器は、前記プローブ用中空部内で前記プローブを移動させ、前記プローブの移動は、前記ジャケット壁から機械的に分離していることを要旨とする。
【００１３】
第８の実施形態は第７の実施形態において、
前記プローブは、前記加熱ジャケットに対して１つ以上の自由度を有することを要旨とする。
【００１４】
第９の実施形態は第５の実施形態において、前記ジャケット壁はジャケットプロファイルを有し、
前記プローブはプローブプロファイルを有し、前記プローブプロファイルは前記ジャケットプロファイルと対応し、前記加熱素子及び前記プローブの間にプローブ間隙が設けられ、
前記ジャケット壁は、前記プローブに近接して、前記対応するジャケットプロファイル及びプローブプロファイルに応じて前記プローブを取り囲むことを要旨とする。
【００１５】
第１０の実施形態によれば、機械的試験システムにおいて、
材料の試料の１つ以上の機械的特性を試験する可動プローブを有する機械的試験機器と、
前記機械的試験機器を加熱するプローブ加熱ジャケットとを備え、前記プローブ加熱ジャケットは、
前記機械的試験機器に連結する少なくとも１つの固締インターフェースと、
前記少なくとも１つの固締インターフェースから延びている加熱素子と備え、前記加熱素子は、
前記少なくとも１つの固締インターフェースに連結されているジャケット壁を有し、
前記ジャケット壁は、プローブ用中空部の周りに延びており、前記ジャケット壁は、前記プローブ用中空部内に前記機械的試験機器のプローブを受け入れ、前記加熱素子は、プローブ間隙で前記プローブから機械的に分離していることを要旨とする。
【００１６】
第１１の実施形態は第１０の実施形態において、前記機械的試験機器は、前記プローブ用中空部内で前記プローブを移動させ、前記プローブの移動は、前記ジャケット壁から機械的に分離していることを要旨とする。
【００１７】
第１２の実施形態は第１１の実施形態において、
プローブの移動には、前記プローブ用中空部内での並進、回転又は横方向引っ掻き移動のうちの１つ以上を含み、前記ジャケット壁は、前記プローブを前記１つ以上の移動のそれぞれに伴い機械的に分離することを要旨とする。
【００１８】
第１３の実施形態は第１０の実施形態において、
前記ジャケット壁はジャケットプロファイルを有し、
前記プローブはプローブプロファイルを含み、前記プローブプロファイルは前記ジャケットプロファイルと対応し、前記加熱素子及び前記プローブの間にプローブ間隙が設けられ、
前記ジャケット壁は、前記プローブに近接して、前記対応するジャケットプロファイル及びプローブプロファイルに応じて前記プローブを取り囲むことを要旨とする。
【００１９】
第１４の実施形態は第１３の実施形態において、前記加熱素子は、放射加熱素子、対流加熱素子、又は誘導加熱素子であることを要旨とする。
第１５の実施形態は第１０の実施形態において、環境コンディショニングチャンバをさらに備えており、前記チャンバは、調節された環境を提供し、前記調節された環境は、前記チャンバの周囲環境とは異なる１つ以上の環境特徴を有することを要旨とする。
【００２０】
第１６の実施形態は第１５の実施形態において、前記１つ以上の環境特徴は、温度、圧力、湿度又は流体組成からなることを要旨とする。
第１７の実施形態は第１５の実施形態において、前記プローブ加熱ジャケットは、前記環境コンディショニングチャンバ内に配置されることを要旨とする。
【００２１】
第１８の実施形態によれば、材料の機械的特性を試験するための方法において、
ジャケット壁を有するプローブ加熱ジャケットのプローブ用中空部内に機械的試験機器のプローブを配置する工程であって、前記ジャケット壁は、前記プローブのプローブプロファイルと対応するジャケットプロファイルを有し、前記ジャケット壁は、前記ジャケットプロファイルの前記プローブプロファイルへの対応に応じて前記プローブに近接している、機械的試験機器のプローブを配置する工程と、
前記プローブ加熱ジャケットの加熱素子に通電する工程と、
前記ジャケットプロファイルの前記プローブプロファイルへの対応に応じたプローブ間隙を通して前記ジャケット壁から前記プローブに熱を方向付けて、前記プローブの温度を変える工程と、
機械的又は電気機械的試験を行うために前記プローブを移動させる工程とを備え、
前記プローブの移動中、前記プローブは、前記ジャケット壁から機械的に分離している、方法を要旨とする。
【００２２】
第１９の実施形態は第１８の実施形態において、前記プローブを移動させる工程は、前記プローブ用中空部内での並進、回転又は横方向引っ掻き移動のうちの１つ以上を行い、前記ジャケット壁は、前記１つ以上の移動のそれぞれに伴い前記プローブを機械的に分離することを要旨とする。
【００２３】
第２０の実施形態は第１８の実施形態において、前記プローブを材料の試料と係合する工程をさらに備えることを要旨とする。
第２１の実施形態は第１８の実施形態において、前記プローブを前記試料と係合する工程は、機械的試験機器を用いて前記プローブに力を加える工程からなることを要旨とする。
【００２４】
第２２の実施形態によれば、試料ステージと、システムフレームに連結された機械的試験機器とを有する機械的試験アセンブリを用いて熱機械的ドリフトを補正するための方法において、
前記機械的試験機器のプローブを、前記試料ステージに連結されている試料と係合する工程であって、前記機械的試験機器、前記試料又は前記試料ステージのうちの１つ以上が熱機械的ドリフトを受ける、前記機械的試験機器のプローブを係合する工程と、
前記係合されたプローブを前記試料に対して負荷により変位させる工程と、
前記変位又は前記負荷のうちの１つ以上を測定する工程と、
前記変位及び前記負荷に応じて前記プローブを用いて前記試料の１つ以上の特徴を判定する工程と、
前記試料に対する前記プローブの前記測定された変位、又は前記判定された１つ以上の特徴のうちの１つ以上における前記熱機械的ドリフトを補正する工程とを備え、前記熱機械的ドリフトを補正する工程は、
前記システムフレームに対する前記プローブの変位を独立して測定する工程と、非接触センサを用いて前記システムフレームに対する前記試料の変位を独立して測定する工程とを含んでなることを要旨とする。
【００２５】
第２３の実施形態は第２２の実施形態において、前記プローブの前記変位又は前記試料の前記変位を測定する工程は、直交位相検波又は干渉縞計数方式のうちの１つ以上を含むことを要旨とする。
【００２６】
第２４の実施形態は第２２の実施形態において、前記非接触センサは、レーザー干渉計、ファイバ光変位センサ、共焦点センサ、又は静電容量センサのうちの１つ以上からなることを要旨とする。
【００２７】
第２５の実施形態は第２２の実施形態において、前記非接触センサがレーザー干渉計であり、前記独立して測定する工程は、
１つ以上の光ファイバに入るコヒーレント光ビームを発生させる工程と、
前記１つ以上の光ファイバを通してファイバ端部に前記コヒーレント光ビームを伝送する工程と、
前記コヒーレント光ビームを第１成分ビームと第２成分ビームとに分割する工程と、
前記第１成分ビームを媒体とのファイバインターフェースに反射する工程と、
前記第２成分ビームを前記試料、前記試料ステージ又は前記機械的試験機器に反射する工程と、
光学検出器で前記第１成分ビーム及び前記第２成分ビームを結合する工程と、
前記結合された第１成分ビーム及び前記第２成分ビームを同期復調することによって、前記システムフレームに対する前記試料、前記試料ステージ、又は前記機械的試験機器の変位を判定する工程とを備えることを要旨とする。
【００２８】
第２６の実施形態は第２２の実施形態において、前記熱機械的ドリフトを補正する工程は、前記プローブと前記試料との係合又は前記１つ以上の特徴の測定それぞれの能動的又は受動的な補正のうちの少なくとも１つを含んでなることを要旨とする。
【００２９】
第２７の実施形態は第２２の実施形態において、前記熱機械的ドリフトを補正する工程は、前記熱機械的ドリフトを打ち消すために、前記プローブ又は前記試料のうちの１つ以上の並進駆動を含む熱機械的ドリフトの能動的補正を含んでなることを要旨とする。
【００３０】
第２８の実施形態は第２２の実施形態において、前記熱機械的ドリフトを補正する工程は、前記試料の前記１つ以上の特徴の前記判定中、前記熱機械的ドリフトの差し引きを含む熱機械的ドリフトの受動的補正を含んでなることを要旨とする。
【００３１】
第２９の実施形態によれば、機械的試験アセンブリにおける熱機械的ドリフトを補正するシステムにおいて、
熱機械的ドリフトを受けるシステムフレームと、
前記システムフレームに連結されている試料ステージと、
前記システムフレームに連結されている機械的試験機器であって、試料と係合して、前記試料に対する深さを負荷により変位させるように構成された可動プローブを含む、機械的試験機器と、
前記機械的試験機器に連結されているレーザー干渉計システムであって、前記レーザー干渉計システムは、
前記プローブと前記機械的試験機器の残りの部分との間に連結されている第１干渉計であって、前記機械的試験機器の残りの部分に対する前記プローブのプローブ変位を判定するように構成された、第１干渉計と、
前記機械的試験機器と前記システムフレームとの間に連結されている第２干渉計であって、前記機械的試験機器に対する前記試料ステージ又は前記試料の試料変位を判定するように構成された、第２干渉計とを備える、レーザー干渉計システムと、
前記プローブ変位と前記試料変位との差を判定し、
前記プローブ変位と前記試料変位との前記判定された差を用いて、前記機械的試験機器を前記システムフレームの前記熱機械的ドリフトから分離する、分離・測定モジュールとを備える、システムを要旨とする。
【００３２】
第３０の実施形態は第２９の実施形態において、第１ファイバ端部及び第２ファイバ端部を揺動して、変調された光学信号を提供する電気機械的発振器をさらに備えることを要旨とする。
【００３３】
第３１の実施形態は第２９の実施形態において、前記第１干渉計又は前記第２干渉計のファイバを動的に伸長させて、前記ファイバ内の熱誘導されたドリフトを軽減するファイバストレッチャをさらに備えることを要旨とする。
【００３４】
第３２の実施形態は第３１の実施形態において、前記ファイバストレッチャが電気機械的素子を備えることを要旨とする。
この概要は、本特許出願の主題の概要を提供することを意図している。本発明の排他的又は網羅的な説明を提供することを意図しているわけではない。本特許出願に関するさらなる情報を提供するために詳細な説明を記載する。
【００３５】
必ずしも縮尺通りには描かれていない図面において、同じ符号は、異なる図において同様な構成要素を表したものでありうる。異なる添字を有する同じ符号は、同様な構成要素の異なる例を表したものでありうる。図面は、全体として、制限ではなく例として、本文書で述べる様々な実施形態を例示する。
【図面の簡単な説明】
【００３６】
【図１】多自由度試料ステージを含むマルチ機器アセンブリの一実施例の等角切欠図。
【図２】図１に図示する多自由度試料ステージを含む試験アセンブリの斜視図。
【図３】図２に図示する試験アセンブリの詳細斜視図。
【図４】加熱ジャケットの一実施例の斜視図。
【図５】図４の加熱ジャケットの側面図。
【図６】図４の加熱ジャケットにプローブが受け入れられた状態の、加熱ジャケットの上面図。
【図７】機械的試験機器の側面図。
【図８】図７の機械的試験機器の斜視図。
【図９】材料の機械的特性を試験するための方法の一実施例を示す図。
【図１０】機械的試験アセンブリにおける熱機械的ドリフトを補正するためのシステムの模式図。
【図１１】干渉計システムの模式図。
【図１２】機械的試験アセンブリを用いて熱機械的ドリフトを補正するための方法の一実施例を示す図。
【発明を実施するための形態】
【００３７】
図１は、例示的なマルチ機器アセンブリ１００の一部切欠図を示す。図示するように、マルチ機器アセンブリ１００は、試験アセンブリ１１２と、第１、第２、第３及び第４の機器１０４、１０６、１０８、１１０を含む複数の機器（例、顕微鏡）とを取り囲む機器チャンバ１０２を含む。図示するように、第１から第４の機器１０４〜１１０のそれぞれは、試験アセンブリ１１２に隣接するエリアのあたりに集められている。例えば、第１から第４の機器１０４〜１１０は、配列されて、試験アセンブリ１１２付近（例えば、多自由度試料ステージ１１６に隣接する）局所的な一致領域を画定するか又は該領域の中に、機器軸及び焦点又は作動距離（例、作動領域）を含む。以下さらに詳細に説明するように、アセンブリ１００は、アセンブリ１００の１つ以上の構成要素の温度を変える加熱器を含む。加えて、アセンブリ１００は、アセンブリ１００の１つ以上の構成要素における熱機械的ドリフトを分離して補償するために、１つ以上のシステムを含む。例えば、アセンブリ１００の１つ以上の構成要素の位置は、構成要素の温度変化に応じて、他の構成要素に対して変えてもよい（例、マイクロメータ又はナノメータレベルの小規模の移動）。さらに、試験アセンブリ１１２の構成要素である多自由度試料ステージ１１６は、試料ステージ面（例、図２及び図３に図示する試料ステージ面２０８）上の試料（例、図３に図示する試料３００）を、第１から第４の機器１０４〜１１０の機器のうちの２つ以上の機器に対して複数の向きに向けるように構成されている。
【００３８】
図１に図示されるように、試験アセンブリ１１２は、本明細書で前述したように、機器チャンバ１０２内に配置される。図示されるように、試験アセンブリ１１２は、例えば、圧子、スクラッチ（横方向移動）機械的試験機器、引張試験機器等の機械的試験機器１１４を含む。機械的試験機器１１４は、多自由度試料ステージ１１６等の試料ステージの試料面ステージ上に存在する試料と相互作用するように構成されている。例えば、多自由度試料ステージ１１６は、機械的試験機器１１４と相互作用するために材料の試料を配置するように構成されると同時に、第１から第４の機器１０４〜１１０のうちの１つ以上による観察及びさらなる操作を可能にする。
【００３９】
マルチ機器アセンブリ１００を含む実施例では、アセンブリは、１つ以上の機器を含む。例えば、あるこのような機器は、例えば、電子銃等の第１機器１０４と、電子後方散乱検出器等の第２機器１０８とを含む、走査電子顕微鏡等の顕微鏡機器である。別のオプションでは、マルチ機器アセンブリ１００は、二次電子後方散乱検出器等の第３機器１１０と、集束イオンビームガン等の第４機器１０６とを含む。一実施例において、第４機器１０６は、試料ステージ面に配置される試料をさらに加工するように構成されたツールである。例えば、第４機器１０６は、ある実施例において、集束イオンビームガンであり、さらなる調査及び機械的試験機器１１４及び第１から第３機器１０４〜１０８のうちの１つ以上との相互作用のために、試料の部分を除去して、前に利用できなかった試料の部分を露出させるように構成されている。
【００４０】
アセンブリは、圧力、温度、大気組成、湿度等を含むがこれだけに限定されない、１つ以上の環境特徴を制御するように構成された環境チャンバ１１８を任意選択で含む。環境コンディショニングシステムのための例示的なサブシステムは、真空チャンバ（例、負圧、雰囲気圧又は高圧試験のうちの１つ以上のために構成された圧力チャンバ）、超低温冷却システム、湿度システム、大気組成及び高温システムを含むが、これだけに限定されない。環境チャンバ１１８を含む例示的なシステム１００において、１０−４Ｐａ（１０−６Ｔｏｒｒ）から１３３３２２Ｐａ（１０００Ｔｏｒｒ）までの圧力変動が可能な機器エンクロージャ（例、エンクロージャは圧力容器である）の一部としてチャンバが含まれる。トランスデューサ、プローブ、光学イメージングシステム、及びステージ（１つ以上の自由度を含む）は、圧力容器（機器エンクロージャ）内に収まる。
【００４１】
温度及び湿度等の１つ以上の他の環境特徴を制御する他の様々な環境サブシステムがステージ（例、試料ステージ１１６）に任意選択で取り付けられ、圧力容器内に収まる。これらのシステムは、試料とプローブとに近接するゾーンに局所化される。例えば、これらのシステムは、試料とプローブとを取り囲むハウジング内に含まれ、したがって機器エンクロージャの残りの部分に比べて小さな空間容積に影響する。これが、（例、加熱のための）エネルギー入力、指定された環境特徴値に達するまでのアプローチ時間、及びシステム要件を最小に抑えながら、測定に不都合になりうる特徴（ドリフト等）も最小に抑えるので、試験の安定性が向上する。
【００４２】
図２は、前の図１で図示した試験アセンブリ１１２の一実施例を示す。前述したように、試験アセンブリ１１２は、試験機器、例えば、機械的試験機器１１４を含む。試験アセンブリ１１２は、機器１１４を用いて試験するために、試料を支持して提示するように構成されたステージを含む。例えば、図２に図示する実施例では、ステージは、多自由度試料ステージ１１６を含む。
【００４３】
試験アセンブリ１１２は、機械的試験機器１１４及びステージ（この実施例では、多自由度試料ステージ１１６）のそれぞれを受け入れて取り付けるようなサイズ及び形状にされている、試験アセンブリプラットフォーム２００を含む。試験アセンブリプラットフォーム２００は、アセンブリ取付台２０２をさらに含む。一実施例におけるアセンブリ取付台２０２は、マルチ機器アセンブリ１００の取付ステージ１０１（図１を参照）を用いて配置され、これに係合するように構成されている。機器１０４〜１１０を含むシステムでは、アセンブリ取付台２０２は、機器１０４〜１１０に対する試験アセンブリ１１２の作動を可能にする。さらに、多自由度試料ステージ１１６（含まれる場合）は、多自由度試料ステージ１１６の試料ステージ面上に配置される試料に、追加の向き及び位置決め能力を提供する。
【００４４】
再び図２を参照すると、多自由度試料ステージ１１６は、図示される実施例では、直線ステージアセンブリ２０４を含む。一実施例において、直線ステージアセンブリは、１つ以上の直線軸に沿って試料ステージ面２０８を配置するように構成されたＸ、Ｙ及びＺの直線ステージを含む。加えて、多自由度試料ステージ１１６は、直線ステージアセンブリ２０４に連結されている回転・傾斜ステージアセンブリ２０６を任意選択で含む。一実施例において、回転・傾斜ステージアセンブリ２０６は、直線ステージアセンブリ２０４と連続して連結されている。別の実施例では、回転・傾斜ステージのうちの１つ以上が、直線ステージアセンブリ２０４の直線ステージのうちの１つ以上の間に置かれる。
【００４５】
さらに別の実施例では、機械的試験機器１１４は、試験機器アセンブリプラットフォーム２００に連結されて、その間に機械的試験機器直線ステージ２１０（例、Ｘ軸等の軸に沿って機器を相対的に移動させるように構成されたステージ）が置かれる。一実施例において、機械的試験機器直線ステージ２１０は、機械的試験機器１１４を試料ステージ面２０８及び第１から第４の機器１０４〜１１０のうちの１つ以上に対して移動させるように構成された１つ以上の直線ステージ（Ｘ、Ｙ又はＺの直線ステージのうちの１つ以上）を含む。
【００４６】
図２でさらに図示されるように、作動・感知ケーブル配線２１２が、試験アセンブリ１１２の１つ以上の部分、例えば、直線ステージアセンブリ２０４の直線ステージのそれぞれ及び回転・傾斜ステージアセンブリ２０６の回転・傾斜ステージのそれぞれまで延びている。加えて、別の実施例では、作動・感知ケーブル配線２１２は、機械的試験機器１１４及び機械的試験機器直線ステージに設けられている。作動・感知ケーブル配線２１２は、１つ以上のステージのそれぞれ、機械的試験機器等の作動を容易にする。別の実施例において、作動・感知ケーブル配線２１２は、直線ステージアセンブリ２０４、回転・傾斜ステージアセンブリ２０６、及び機械的試験機器直線ステージ２１０のステージのそれぞれに設けられるエンコーダに連結されて、本明細書で説明するように、機器及び試料ステージ面２０８の正確な作動及び位置決め及び向きの測定を容易にする。
【００４７】
さらに、多自由度試料ステージ１１６は、機器１０４〜１１０及び機械的試験機器１１４のいずれとも不要に衝突することなく、機器１１０の一致領域（例、１つ以上の機器１０４〜１１０の焦点がアラインするか又は一致する場所）内に試料ステージ面２０８を配置するように構成されている。任意選択で、機械的試験機器直線ステージ２１０上の機械的試験機器１１４は、試料ステージ（例、多自由度試料ステージ１１６）の動きと協働するように構成されて、多様な向きの試料ステージ面２０８との機械的試験の相互作用が可能になることを確保する。いくつかの実施例では、機械的試験機器１１４及び試料ステージの動きが協働して、試料を１つ以上の機器１０４〜１１０にアラインさせる。例えば、試料を機械的試験機器１１４にアラインさせながら、機器１０４〜１１０の１つ以上に対してもその試料の向きを合わせる。
【００４８】
図３は、図２に図示する試験アセンブリの詳細斜視図である。試験アセンブリ１１２は、機械的試験機器１１４を含む。機器１１４は、試料ステージ面２０８に連結されている試料３００と係合して試験するように構成され、試料３００の１つ以上の機械的又は電気機械的特性を試験する。いくつかの実施例では、試料３００は、金属、合金、ポリマー、セラミック、ガラス、複合物、半導体、生物学的試料等のうちの１つ以上を含む。
【００４９】
機械的試験機器１１４は、プローブ先端３２０を有するプローブ３１０を含む。プローブ３１０は、試料３００と選択的に係合し（例、押し込む、引っ掻く等）、力、変形（押し込み深さ）等うちの１つ以上を測定する（例えば、試料３００の１つ以上の特性（例、硬さ、ヤング率等）を評価する）。別の実施例において、機器１１４は、試料３００と選択的に連結するためにクランプ部材を含み、機器１１４は、試料３００に引張力を印加して、試料３００の１つ以上の特性（例、引張強さ、ポワソン比等）を試験する。
【００５０】
図３にさらに図示するように、試験アセンブリ１１２は、機械的試験機器１１４の１つ以上の部分を加熱するように構成された加熱ジャケット３３０を含む。一実施例において、加熱ジャケット３３０は、少なくともプローブ先端３２０を含むプローブ３１０を加熱する。別の実施例では、加熱ジャケット３３０は、例えば引張試験で使用される、プローブ３１０に設けられているクランプ部材（例、クランプ部材の１つ以上の顎部）を任意選択で加熱する。本明細書でさらに詳細に説明するように、加熱ジャケット３３０は、１つ以上のジャケット支持支柱３７０を用いて機械的試験アセンブリ１１４に連結されている。図３に図示される実施例において、加熱ジャケット３３０は、ジャケットベース３４０及びサポートインターフェース３５０を含む。１つ以上のジャケット支持支柱３７０は、固締インターフェース３５０に連結されて、加熱ジャケット３３０を機械的試験機器１１４に連結させる。加えて、ジャケット支持支柱３７０は、１つ以上の導電部材３７５を任意選択で含み、１つ以上の導電部材は、電気信号を加熱ジャケット３３０に供給するために加熱ジャケット３３０と電気的に連通しており、それによって、加熱ジャケット３３０が通電され、熱が発生する。
【００５１】
試験アセンブリ１１２の１つ以上の部分（例、プローブ先端３２０）を加熱することは、試験アセンブリ１１２の構成要素間の熱伝達を最小に抑える。したがって、試験アセンブリ１１２が行う試験の正確さが改善される。一実施例において、試料３００を試料ステージ１１６（例、図２に図示する試料ステージ面２０８）に連結させる。試料３００の温度を、例えば、試料ステージ面２０８に近接して配置される加熱コイルを用いて、任意選択で変える。この実施例では、試料３００が加熱されて、機器１１４（例、プローブ先端３２０）が試料３００と相互作用すると、試料３００から機械的試験機器１１４に熱が伝達する。いくつかの実施例では、試料３００と機器１１４との間の熱伝達は、試験アセンブリ１１２の試験結果の正確さに影響する。試料からプローブ先端３２０に伝達される熱で（又は逆に冷やされた試料で）、試料３００の温度が低下する。いくつかの実施例では、試料３００の機械的又は電気機械的特性は、試料３００の温度によって変わる。したがって、試験アセンブリ１１２が行う試験の結果の正確さは、試料３００へ、又は試料３００から伝達される熱（及びその後の温度変化）によって影響を受ける。加えて、プローブへ、又はプローブから（例、試料から）伝達される熱は、プローブの寸法を変化させ、したがって熱伝達に基づく膨張又は収縮に起因して、力又は変位のいずれか、又は両方の測定に測定誤差が引き起こされる。
【００５２】
再び図３を参照すると、加熱ジャケット３３０は、試料３００から機械的試験機器１１４への熱伝達を最小に抑える。例えば、加熱ジャケット３３０は、試験前（及び任意選択で試験中）に機器１１４を加熱して、機器１１４（例、プローブ先端３２０）の温度を試料３００の温度に実質的に一致することを確実にする。したがって、試料３００と機器１１４との間の熱伝達が最小に抑えられ、試験アセンブリ１１２によって行われる試験の正確さが向上する。
【００５３】
本明細書でさらに詳細に説明するように、加熱ジャケット３３０は、加熱素子３６０及びジャケットベース３４０を含む。加熱素子３６０は、加熱ベース３４０から延びている。本明細書でさらに説明するように、加熱素子３６０は、プローブ３１０を受け入れるように構成されている。加えて、加熱素子３６０は、プローブ３１０及びプローブ先端３２０から機械的に分離されている。例えば、加熱ジャケット３３０は、機械的試験機器１１４に連結されて、プローブ３１０は、プローブ３１０に物理的に接触又は係合することなく、機械的試験機器１１４から離れて連結されている。加熱ジャケット３３０は、ジャケット３３０とプローブ３１０との間で非接触熱伝達をなすように構成されている。
【００５４】
図４は、加熱ジャケット３３０の一実施例の斜視図である。加熱ジャケット３３０は、加熱素子３６０を含む。図４にさらに図示するように、加熱素子３６０は、内面及び外面４１０、４１２を有するジャケット壁４００を含む。ジャケット壁４００の内面４１０は、プローブ用中空部４２０を取り囲み（例、格納、包囲、部分的な格納もしくは包囲等）、そこにプローブ３１０を受け入れる。例えば、プローブ３１０は、プローブ用中空部４２０に配置される（例、図６に図示されるように）。プローブ用中空部４２０は、任意選択でジャケットベース３４０を貫通して延び、加熱ジャケット３３０によるプローブ３１０の受け入れを容易にする。本明細書で説明されるように、ジャケット壁４００（例えば、内面４１０）は、プローブのプロファイルに対応するジャケットプロファイルを有し、プローブ３１０に対するジャケット壁４００の、近接するが切り離された位置付けを容易にし、プローブの熱伝達を高めながら、プローブ３１０が機械的に分離されたままにする。
【００５５】
図４に図示する実施例では、ジャケットベース３４０は、第１端部４３０Ａ及び第２端部４３０Ｂを含む。１つ以上のジャケット支持支柱３７０は、第１端部４３０Ａ及び第２端部４３０Ｂに連結され、加熱ジャケット３３０をプローブ３１０にごく近接して配置しながら、その間の機械的分離を維持する（例、プローブ間隙で）。支柱３７０に関連付けられている１つ以上の導電部材３７５は、加熱ジャケット３３０の動作のために、第１及び第２の端部４３０Ａ、４３０Ｂ間に電力を伝える。例えば、導電部材３７５は、加熱ジャケット３３０の第１及び第２の端部４３０Ａ、Ｂ間に電気を導電する。
【００５６】
加熱ジャケット３３０は、中実コアに、二ケイ化モリブデン、プラチナ合金等を含むが、これに限定されず、中実コアは、応力を最小化する形状特徴を加熱ジャケット３３０に与えるために、任意選択で（例、電気放電加工により）機械加工される。例えば、複数の溝４４０を加熱ジャケット３３０に任意選択で含め、第１端部４３０Ａから第２端部４３０Ｂまで電気を迂回させることによって、加熱ジャケット３３０をジャケット壁４００に沿って抵抗加熱する。加えて、複数の溝４４０は、ジャケット３３０の様々なセグメント４５０及びコーナー４６０の断面積のバリエーションにより、加熱ジャケット３４０の抵抗（ひいては加熱）の調整を容易にする。したがって、溝４４０は、加熱素子３６０が発生させた熱の制御を容易にする。さらに、切り抜き４４０は、プローブ用中空部４２０に対して横方向にジャケット壁４００の膨張及び収縮を容易にしながら、ジャケット壁４００の半径方向の膨張又は収縮及びそれに応じたプローブとの係合を最小に抑える。
【００５７】
図５は、図４の加熱ジャケットの側面図である。加熱ジャケット３３０は、ジャケットベース３４０及び加熱素子３６０を含む。前述したように、加熱素子３６０（ジャケット壁４００を含む）は、第１脚部５００Ａと第２脚部５００Ｂとでジャケットベース３４０に連結されている。第１脚部５００Ａは、この実施例ではジャケット壁４００の蛇行セグメントとコーナーとを含む加熱素子３６０を通じて、第２脚部５００Ｂと電気的に連通している。したがって、第１脚部５００Ａを通じて伝送される電気信号は、加熱素子３６０を通じて第２脚部５００Ｂに伝送されて、ジャケット壁４００での加熱を始める。
【００５８】
図６は、図４の加熱ジャケット３３０にプローブ３１０が受け入れられた状態の、加熱ジャケットの上面図である。図示されるように、プローブ３１０は、加熱ジャケット３３０のプローブ用中空部４２０に受け入れられている。プローブ３１０と加熱素子３６０との間（例、ジャケット壁４００とプローブ３１０との間）にプローブ間隙６００が設けられている。ジャケット壁４００の内面４１０等のジャケット壁４００は、プローブ３１０のプローブプロファイル６２０に対応するジャケットプロファイル６１０を含む。対応するプロファイルは、プローブ３１０の受け入れ、プローブ３１０の機械的分離を容易にすると同時に、ジャケット壁４００で発生した熱を、介在するプローブ間隙６００越しにプローブ３１０に直ちに、かつ確実に伝える。この実施例では、加熱素子３６０がプローブ３１０から機械的に分離されているため、加熱素子３６０は、プローブ３１０に熱を伝導しない。代わりに、加熱素子（例、ジャケット壁４００）は、加熱の１つ以上の非接触モード、例えば、熱伝達の放射又は対流モード及び誘導加熱（本明細書で説明される）により、プローブ３１０に熱を伝達する。
【００５９】
本明細書で説明されるように、ジャケット壁４００（図４に図示される）は、ジャケットプロファイル６１０を有する。例えば、ジャケットプロファイル６１０は、実質的に円形又は円筒形で、ジャケット壁４００の内面の形状、輪郭又はサイズのうちの１つ以上に対応する。逆に、プローブ３１０は、プローブプロファイル６２０を有する。図６で提供される実施例では、プローブプロファイル６２０は、ジャケットプロファイル６１０に対応する。例えば、ジャケットプロファイル６１０は、概ね円形又は円筒形をなし、プローブプロファイル６２０に近似する形状、輪郭又はサイズのうちの１つ以上からなる。ジャケットプロファイル６１０とプローブプロファイル６２０との対応は、その間のプローブ間隙６００が最小であることを確実にしながら、プローブ３１０がジャケット壁４００から確実に機械的に分離する。一実施例において、ジャケットプロファイル６１０は、プローブプロファイル６２０よりもやや大きい寸法を有する。したがって、ジャケット３３０は、プローブ用中空部４２０（図４に図示される）にプローブ３１０を受け入れるためのサイズ及び形状にされている。同様に、ジャケットプロファイルは、任意選択でプローブプロファイル６２０に位置合わせして（例、同心状に、軸方向に、又は同様に）、プローブ３１０のプローブ用中空部４２０内への受け入れを促進する。したがって、ジャケットプロファイル６１０とプローブプロファイル６２０との対応は、（例、熱伝達の最小損失により）熱伝達の高い忠実度を確保しながら、ジャケット３３０の、プローブ３１０からの機械的な分離も維持する。
【００６０】
再び図６に図示する実施例を参照すると、加熱素子３６０（例、ジャケット壁４００の内面４１０）は、プローブ３１０にごく近接している。加えて、加熱素子３６０は、プローブ３１０の連続囲い、溝４４０の途切れを伴う連続囲い、ジャケット壁４００の個々の部分間の間隙（例、柱、素子等の間の間隙）を伴う連続囲いのうちの１つ以上を含めて、プローブ３１０を取り囲む。ジャケット壁４００をプローブ３１０にごく近接して配置することは、加熱素子３６０とプローブ３１０との間の熱伝達を高める。加えて、プローブ３１０を加熱素子３６０で取り囲むことは、熱を複数の方向からプローブ３１０に方向付けると同時に、加熱されたジャケット壁４００を用いて、プローブ３１０に蓄積された熱の漏出（例、間隙により）を最小に抑えることで、熱伝達をさらに高める。例えば、熱伝達は、プローブ３１０に対して複数の方向から（例、図４に図示される、内面４１０からプローブ３１０の外周に沿って）達成されながら、ジャケット壁４００の開口が任意選択で最小化されて、それに対応して熱の漏出を最小に抑える。
【００６１】
図７は、機械的試験機器１１４の別の実施例の側面図である。機械的試験機器１１４は、プローブ３１０と加熱ジャケット３３０の別の実施例とを含む。この実施例では、加熱ジャケット３３０は、プローブ３１０に巻き付けられて、プローブ３１０から機械的に分離している。例えば、プローブ３１０は、プローブプロファイル６２０を有し、加熱ジャケット３３０は、ジャケットプロファイル６１０を有する。ジャケットプロファイル６１０は、プローブプロファイル６２０と対応し、ジャケットプロファイル６１０及びプローブプロファイル６２０は、プローブ間隙６００を取り囲む。ジャケット壁４００は、プローブ３１０にごく近接して配置されて、プローブ３１０を取り囲み（例、プローブ３１０に巻き付けて）、プローブ３１０に対して複数の方向からの熱伝達（又は誘導加熱）を可能にする。
【００６２】
電気は、第１脚部５００Ａに伝送され、加熱ジャケット３３０を通して第２脚部５００Ｂに伝送される。この実施例では、加熱ジャケット３３０は、プローブ３１０を誘導加熱して、プローブ３１０の温度を変える。例えば、加熱ジャケット３３０を通した電気の伝送は磁場を発生させ、それに応じて磁場はプローブ３１０を励磁し、それによってプローブ３１０を加熱する。この実施例では、加熱ジャケット３３０は、プローブ３１０から機械的に分離されており、熱伝達は、熱伝達の非接触モードである（例、誘導加熱）。
【００６３】
別の実施例では、加熱ジャケット３３０は通路を含み、加熱ジャケット３３０を通して流体が揚送されて、プローブ３１０を加熱又は冷却する。例えば、冷やした流体（プローブ３１０の温度に対して）が第１脚部５００Ａに注ぎ込まれて、加熱ジャケット３３０を通る。流体は、加熱ジャケット３３０を流れて、プローブ３１０を冷却し（例、対流又は熱放射により）、流体は、例えば、加熱又は冷却のために、加熱ジャケット３３０の第２脚部５００Ｂから出て、さらにジャケットを再循環する。
【００６４】
図８は、図７の機械的試験機器の斜視図である。この実施例では、シールド８００が加熱ジャケット３３０を実質的に取り囲んで、プローブ３１０への熱伝達を高める。一実施例において、シールド８００は、本来であればプローブ３１０によって散逸される赤外線エネルギーを反射する。別の実施例では、シールド８００は、加熱ジャケット３３０が発生させた磁場を方向付けて、プローブ３１０の誘導加熱を高める。さらに別の実施例では、シールド８００は、図３〜図６に図示する加熱ジャケット３３０に近接して配置して、プローブ３１０を断熱するか、又は加熱素子３６０が発生させた赤外線エネルギーを素子３６０に向けて内側に反射し返すとともにプローブ３１０に向けて反射する。
【００６５】
図９は、本明細書で説明する機械的試験機器１１４、プローブ３１０又は加熱ジャケット３３０のうちの１つ以上を含む、材料の機械的特性を試験するための方法９００の一実施例を示す。方法９００を説明する中で、本明細書で前述した１つ以上の構成要素、特徴、機能及び動作を参照する。便利な場合、構成要素、特徴、動作等に参照符号を付けて参照する。付けられる参照符号は例示的なものであり、排他的なものではない。例えば、方法９００で説明する構成要素、特徴、機能、動作等は、本明細書で提供される対応する番号を付された要素及び本明細書で説明される他の対応する要素（番号を付されているものと付されていないものの両方）ならびにその均等物を含むが、これだけに限定されない。
【００６６】
９１０で、機械的試験機器１１４のプローブ３１０が、ジャケット壁４００を有する加熱ジャケット３３０のプローブ用中空部４２０内に配置される。ジャケット壁４００は、プローブ３１０のプローブプロファイル６２０と対応するジャケットプロファイル６１０を有する。ジャケット壁４００は、ジャケットプロファイル６１０のプローブプロファイル６２０への対応に応じて、プローブ３１０に近接している。
【００６７】
９２０で、加熱ジャケット３３０の加熱素子３６０が通電される。例えば、加熱ジャケット３３０に電気信号（例、電流等）が送られて、素子３６０の抵抗加熱、素子の誘導等のうちの１つ以上を始める。
【００６８】
９３０で、ジャケット壁４００からの熱は、ジャケットプロファイル６１０のプローブプロファイル６２０への対応に応じて、プローブ３１０に向けられてプローブ間隙６００越しに方向付けられ、プローブ３１０の温度を変える。別の実施例では、加熱は、ジャケット３３０を用いて発生させた磁場によりプローブ間隙６００越しにプローブ３１０を誘導加熱することを含む（図７に図示するように）。
【００６９】
９４０で、方法９００は、機械的又は電気機械的試験を行うためにプローブ３１０を移動させることを含む。一実施例において、プローブ３１０を移動させることは、プローブ用中空部４２０内での並進、回転又は横方向引っ掻き移動のうちの１つ以上を含み、ジャケット壁４００は、１つ以上の移動のそれぞれに伴いプローブ３１０を機械的に分離する。したがって、プローブ３１０は、加熱ジャケット３３０に対して１つ以上の自由度を有する（往復運動、回転等を含むが、これだけに限定されない）。
【００７０】
方法９００のいくつかの選択肢が次に起こる。例えば、プローブ３１０が試料３００と係合する。一実施例において、プローブ３１０を試料３００と係合することは、機械的試験機器１１４を用いてプローブ３１０に力を加えることを含む。
【００７１】
図１０は、機械的試験アセンブリにおける熱機械的ドリフトを補正するためのシステム１０００の模式図である。システム１０００は、システムフレーム１０１０及び機械的試験機器１１４を含む。いくつかの実施例において、システムフレーム１０１０は、図２に図示する試験アセンブリプラットフォーム２００に対応する。システム１０００は、システムフレーム１０１０に対する機械的試験機器１１４の作動及び位置決め（例、１つ以上の方向、例えば、システムフレーム１０１０に対して上又は下）を可能にする、ＭＴＩ（機械的試験機器）アクチュエータ１０２０を任意選択で含む。いくつかの実施例では、ＭＴＩアクチュエータ１０２０は、図２に図示する機械的試験機器直線ステージ２１０に対応する。機械的試験機器１１４は、プローブ３１０を含み、プローブ３１０は、プローブアクチュエータ１０２５（容量型トランスデューサ等）によって作動されて、プローブ３１０を機器１１４に対して位置決めする。いくつかの実施例において、プローブアクチュエータにセンサ（例、トランスデューサ）が含まれて、例えば、プローブ３１０に印加される負荷（例、力）又はプローブ３１０の変位を判定する。別の実施例では、プローブアクチュエータ１０２５は、プローブ３１０の１つ以上の指定された負荷、変位を印加し、１つ以上の生じる負荷、変位等（例、印加された負荷又は変位に対して実際に生じる負荷又は変位）も測定するトランスデューサを含む。
【００７２】
熱機械的ドリフトを補正するためのシステムは、干渉計システム１０３０を含む。図１０に図示されるように、干渉計システム１０３０は、機械的試験機器１１４に連結されている。この実施例では、干渉計システム１０３０は、第１干渉計１０４０Ａ及び第２干渉計１０４０Ｂを含む。第１干渉計１０４０Ａは、プローブ３１０と機械的試験機器１１４の残りの部分との間に連結されている。第１干渉計１０４０Ａは、機械的試験機器１１４の残りの部分に対するプローブ３１０のプローブ変位ΔＸＦを判定する。プローブ変位ΔＸＦは、プローブの移動に対応し、したがってプローブの移動を正確に表すものを提供して、試料と機械的試験機器の残りの部分とに対するプローブの実際の押し込み深さ又は他の変位に基づく値を測定する。
【００７３】
一実施例において、第１干渉計１０４０Ａは、第１コヒーレント光ビームを第１成分ビームと第２成分ビームとに分割する。第１コヒーレント光ビームは、光源、例えばレーザー発生器（例、図１１に図示されるレーザー発生器１１１１）によって生成される。第１コヒーレント光ビームは、媒体、例えばファイバ端部（例、図１１に図示される光ファイバ１１２０の劈開端部１１２５）を含む光ファイバ（例、光ファイバ１１２０）を通して伝送される。第１コヒーレント光ビームは、ファイバ端部に到達し、光キャビティを形成する第１成分ビームと第２成分ビームとに分割される。いくつかの実施例において、第１成分ビーム（例、参照ビーム）はファイバ端部から反射し返され、第２成分ビーム（例、アクティブビーム）は光ファイバを逃れて、ターゲット（例、プローブ３１０、又は例えば、プローブ先端３２０の反対のプローブ３１０の後側）に向かって伝送される。第２成分ビームは、ターゲットに反射されて、光ファイバに戻る。任意選択で、第１成分ビーム及び第２成分ビームは、光ファイバ内で結合（例、再結合）され、いくつかの実施例では、第１成分ビームは、第２成分ビームに干渉して干渉信号になる。
【００７４】
光学検出器（例、図１１に図示される光学検出器１１１７）は、干渉信号を検出する。いくつかの実施例において、成分ビーム又はコヒーレントビームは、波長変調、位相変調又はキャビティ変調のうちの１つ以上で変調される。検出された成分ビーム（例、干渉信号）は、（例、図１１に図示される同期復調器１１１８により）処理されて、ターゲットとファイバ端部との間の変位を判定する。一実施例において、変位は、干渉縞計数方式を使って判定される。干渉縞計数方式は、結合された第１成分ビームと第２成分ビームとによって生成される干渉縞パターンを観察すること（例、光学検出器を用いて）を含む。この実施例では、結合された第１成分ビーム及び第２成分ビームは、位相がずれているため、成分ビームによる干渉（例、強め合う干渉又は弱め合う干渉）が観察されるときに、干渉縞パターン（例、明暗の縞模様の勾配）を生成する。干渉縞パターンの干渉縞間の距離は既知であり、例えば、干渉縞パターンの明線と暗線との間の距離は、第１コヒーレント光ビームの波長に対応する。システム１０００は、干渉縞パターンを分析し、したがって、ファイバ端部とターゲットとの間の距離を判定する。例えば、システム１０００は、明から暗への縞模様の変化を計数して、ファイバ端部に対するターゲットの距離の変化を判定する。したがって、第１干渉計１０４０Ａは、機械的試験機器１１４の残りの部分に対するプローブ３１０のプローブ変位ΔＸＦの判定を可能にする。加えて、プローブ変位は、一実施例において、プローブ３１０の先端の、試料への押し込み深さに対応する。本明細書で説明するように、プローブ変位は、別の実施例において、システムフレーム１０１０に対する機械的試験機器１１４の変位と組み合わせて使用して、熱機械的ドリフトを分離して除去するために押し込み深さの測定を改善する。
【００７５】
別の実施例において、干渉縞パターンで直交位相点を検出する直交位相検波を用いて、変位を判定する。例えば、直交位相点（例、変曲点、又は、結合された成分ビームの強め合う干渉と弱め合う干渉との間の中間点）は、ファイバ端部とターゲットとの間の距離の変化に対して最大限の感度を提供する。
【００７６】
第２干渉計１０４０Ｂは、機械的試験機器１１４とシステムフレーム１０１０との間に連結されている。第２干渉計は、機械的試験機器１１４に対する試料ステージ（例、図１〜図３に図示される試料ステージ１１６）又は試料３００の試料変位ΔＸＤを判定する。例えば、第２干渉計１０４０Ｂは、第２コヒーレント光ビームを第３成分ビーム（例、参照ビーム）と第４成分ビーム（例、アクティブビーム）とに分割する。任意選択で、第３成分ビーム及び第４成分ビームは、干渉信号に結合される。干渉信号を検出及び処理して、第２レーザー干渉計１０４０Ｂ（例、ファイバ端部）と試料ステージ又は試料３００との間の変位を判定する。これにより、試料ステージ及びシステムフレーム１０１０に対する機械的試験機器１１４の位置（及び移動）の精密かつ正確な測定が容易になる。
【００７７】
再び図１０を参照すると、熱機械的ドリフトを補正するためのシステム１０００は、干渉計システム１０３０と通信状態にある分離・測定モジュール１０５０を含む。モジュール１０５０は、干渉計システム１０３０から受信したデータを処理する処理装置（例、ＡＳＩＣ、ＣＰＵ等）を任意選択で含む。一実施例において、モジュール１０５０は、プローブ変位ΔＸＦと試料変位ΔＸＤとの差を判定する。モジュール１０５０は、プローブ変位ΔＸＦと試料変位ΔＸＤとの判定された差を使用することによって、システムフレーム１０１０の熱機械的ドリフトからの機械的試験機器１１４の分離を容易にする。例えば、システムフレーム１０００の熱機械的ドリフトは、試料３００に対するプローブ１１４の押し込み深さの変位の判定に影響する。例えば、システム１０００は、システムフレーム１０１０の熱機械的ドリフトに起因する一定期間にわたる可変押し込み深さ又は力と、フレーム１０１０の膨張又は収縮により生じる対応する変動とを読み取る。図１０に図示される実施例では、第１干渉計１０４０Ａは、プローブ３１０と機器１０４０の残りの部分との間に連結されているため、干渉計１０４０Ａは、機器１０４０に対するプローブ３１０の変位を測定する。さらに、第２干渉計１０４０Ｂは、機器１１４と試料３００（又は試料ステージ）との間に連結されているため、第２干渉計１０４０Ｂは、機械的試験機器１０４０に対する試料３００の変位を測定する。プローブ変位ΔＸＦと試料変位ΔＸＤとの差は、システムフレーム１０１０の熱機械的ドリフトを含まない、試料に対するプローブの実際の変位（例、押し込み深さ等）に対応する。言い換えれば、干渉計システムを機械的試験機器１０４０に連結させて、プローブ３１０及び試料３００の位置を測定することによって、システムフレーム１０１０及びフレーム１０１０の熱機械的ドリフトが効果的に分離され、検討対象から外される。したがって、システムフレーム１０１０の熱機械的ドリフトは、システム１０００によって分離され除去されて、試料３００に対するプローブ１４０の判定された押し込み深さの精度及び正確さが向上する。
【００７８】
別の実施例において、本明細書で説明するシステム及び方法は、機械的試験機器、試料ステージ等のうちの１つ以上において、熱機械的ドリフトを最小に抑える（例、最小化又は排除する）。本明細書で説明するように、プローブ３１０は、試料３００と任意選択で係合して、プローブ３１０の変位（押し込み深さ、引張引き込み等）及び試料３００に印加される負荷に従って、試料３００の１つ以上の特徴を判定する。機械的試験機器１１４、試料３００又は試料ステージ（例、多自由度試料ステージ１１６）は、熱機械的ドリフトを受ける。システム１０００は、任意選択で、これらの構成要素における熱機械的ドリフトの補正を容易にする。一実施例において、熱機械的ドリフトは、能動的又は受動的に補正される。例えば、熱機械的ドリフトは、プローブ３１０の試料３００とのインターフェースで、試験中に能動的に補正される（例、係合及び試験時）。別の実施例では、測定中に受けた熱機械的ドリフトを、試験後に受動的に分離して除去する。
【００７９】
一実施例において、熱機械的ドリフトは、判定された変位に対応する熱機械的ドリフトに対する補償（例、逆）スキームで、プローブ３１０又は試料３００のうちの１つ以上の並進駆動（例、再位置決め又は作動）によって能動的に補正される。一実施例において、熱機械的ドリフトを抑える（例、取り消す、最小化する、相殺する等）ために、プローブ３１０を並進させる（例、作動させる）。例えば、試料３００は、熱機械的ドリフトに起因して、試料ステージ又はシステムフレーム１０００で並進する。試料３００のドリフトを補正する（例、追跡する、追従する、打ち消す等）ために、プローブ３１０を並進駆動する。したがって、システム１０００は、試料３００の１つ以上の特徴を判定する正確さが改善する。別の実施例では、熱機械的ドリフトは、センサによって感知される負荷を変動させる（例、プローブ３１０に対する試料３００の位置が熱機械的ドリフトにより変化するため、プローブ３１０と試料との間の力が変わる）。この実施例では、熱機械的ドリフトは、熱機械的ドリフトを補償するために負荷を変えることによって補正され、それにしたがって負荷は、プローブ３１０又は試料３００に一貫して印加される。
【００８０】
さらに別の実施例では、熱機械的ドリフトは、プローブ３１０の測定された変位又は試料３００の判定された１つ以上の特徴から検出された熱機械的ドリフトを差し引くことによって受動的に補正される。例えば、プローブ３１０は、試料３００と係合し、プローブ３１０に負荷を印加することによって試料に対して変位する。プローブ３１０の変位を測定する（例、センサ、例えばトランスデューサを用いて）。判定された熱機械的ドリフトをプローブ３１０の変位から差し引くことによって、プローブ３１０の測定される変位の正確さが改善する。別の実施例では、熱機械的ドリフトに対応する変動を利用して、熱機械的ドリフトに帰せられる負荷変動を差し引くことによって、測定される負荷を補正する。
【００８１】
図１１は、干渉計システム１０３０の模式図である。干渉計システム１０３０は、コヒーレント光ビーム（例、指定波長を含む光ビーム）を発生させるレーザー源１１１１を含む。加えて、システム１０３０は、レーザー源１１１１に連結されている光ファイバ１１２０を含む。光ファイバ１１２０は、システム１０３０の１つ以上の構成要素と任意選択で光学的に連結されて、構成要素間の１つ以上の光ビームの伝送を容易にする。一実施例において、光ファイバ１１２０は、レーザー源１１１１、サーキュレータ１１１２、ファイバストレッチャ１１１３、電気機械的発振器１１１４及び光学検出器１１１７を、任意選択で光学的に連結させる。
【００８２】
サーキュレータ１１１２は、システム１０３０内で光学信号の伝送を容易にする。例えば、サーキュレータ１１１２は、任意選択で、レーザー発生器１０３０からターゲット１１３０に向けて第１コヒーレント光ビームを方向付ける。加えて、サーキュレータ１１１２は、任意選択で、第１成分ビーム及び第２成分ビーム（本明細書で説明される）を光学検出器１１１７に向けて光学的に方向付ける。
【００８３】
ファイバストレッチャ１１１３は、ビームが光ファイバを通して伝送されるときに（例、第１コヒーレントビーム又は第１及び第２の成分ビーム）、光ファイバ１１２０を動的に伸長させて、１つ以上の光ビームの光路長を変化させる。光ファイバ１１２０は、システム１０３０を用いて実施される測定において、低周波の熱機械的ドリフトを生じさせる温度感度特性を含む。ファイバストレッチャ１１１３は、低周波測定を高周波ドメインにシフトし、そこでは、より高い周波数値が簡単にフィルタリングされて、システム１０３０内の熱機械的ドリフトを補正する。
【００８４】
一実施例において、光ファイバ１１２０は、圧電素子への電流の印加で膨張及び収縮する圧電素子に光学的に巻き付けられている。この実施例では、光ファイバ１１２０が圧電素子に巻き付けられており、圧電素子が膨張及び収縮するため、それに応じて光ファイバ１１２０の光路長は、圧電素子の膨張と収縮とにより長くなったり短くなったりする。共振器１１１５がファイバストレッチャ１１１３と通信状態にあり、ファイバストレッチャ１１１３に電気信号を供給して光ファイバ１１２０を動的に伸長させる（例、数キロヘルツで）。
【００８５】
本明細書で説明するように、システム１０３０は、電気機械的発振器１１１４を任意選択で含む。電気機械的発振器１１１４は、キャビティ長（例、ファイバ端部１１２５とターゲット１１３０との間の距離）を変調し、さらに干渉信号（例、干渉信号は、純粋な正弦波ではない）を変調する。一実施例において、光ファイバ１１２０は、ファイバ端部１１２５を含む。ファイバ端部１１２５は、任意選択で電気機械的発振器１１１４と連結されて、電気機械的発振器１１１４は、指定周波数及び指定振幅でファイバ端部１１２５を変調する（例、揺動させる、振動させる等）。一実施例において、動作周波数で復調された干渉信号の振幅が動作周波数の２倍（例、第１高調波）で復調された干渉信号の振幅に等しいようなファイバ端部１１２５の変調振幅。別の実施例では、ファイバ端部１１２５は、ファイバストレッチャ１１１３の動作周波数の異なる倍数の周波数で変調する。
【００８６】
再び図１１を参照すると、ファイバ端部１１２５は、ターゲット１１３０に差し向けられて、成分ビーム（例、第２成分ビーム、又はアクティブビーム）をターゲット１１３０に向けて送る。電気機械的発振器１１１４によるファイバ端部１１２５の変調は、ファイバ端部１１２５とターゲット１１３０との間の距離を変調する。したがって、光学検出器１１１７で受信された信号（例、結合された第１及び第２成分ビーム）が変調される。ファイバ端部１１２５を変調することで、信号雑音の除去が容易になり、ファイバ端部１１２５とターゲット１１３０との間（例、図３に図示される第２干渉計１０４０Ｂと試料３００との間）の変位の判定が改善される。
【００８７】
一実施例において、同期復調器１１１８は、電気機械的発振器１１１４がファイバ端部１１２５を変調するのと同じ周波数で、光学検出器１１１７をサンプリングする。この実施例では、ファイバ端部１１２５が変調され、光学検出器１１１７で受信された信号がそれに応じて変調されるため、信号の同期復調は、単一の干渉縞の干渉測定にとどまらず、ファイバ端部１１２５とターゲット１１３０との間の変位検出範囲に及ぶ。したがって、ファイバ端部１１２５に対するターゲットの距離（又は変位）の判定がこれによって改善される（例、結合された成分ビームの信号雑音比が改善される）。
【００８８】
図１２は、試料ステージ及び機械的試験機器を有する機械的試験アセンブリを用いて熱機械的ドリフトを補正するための方法１２００の一実施例を示す。方法１２００を説明する中で、本明細書で前述した１つ以上の構成要素、特徴、機能及び動作を参照する。便利な場合、構成要素、特徴、動作等に参照符号を付けて参照する。付けられる参照符号は例示的なものであり、排他的なものではない。例えば、方法１２００で説明される構成要素、特徴、機能、動作等は、本明細書で提供される対応する番号を付された要素及び本明細書で説明される他の対応する要素（番号を付されているものと付されていないものの両方）ならびにその均等物を含むが、これだけに限定されない。
【００８９】
１２１０で、機械的試験機器１１４のプローブ３１０を、試料ステージ（例、多自由度試料ステージ１１６）に連結されている試料３００と係合し、機械的試験機器、試料又は試料ステージのうちの１つ以上が熱機械的ドリフトを受ける。１２２０で、係合されたプローブ３１０は、試料３００に対して負荷により変位する。１２３０で、変位又は負荷のうちの１つ以上が測定される。１２４０で、変位及び負荷に応じて、プローブを用いて試料の１つ以上の特徴が判定される。
【００９０】
１２５０で、試料に対するプローブの測定された変位（例、押し込み深さ、引き込み長さ等）又は判定された１つ以上の特徴のうちの１つ以上で、熱機械的ドリフトが補正される。１２６０で、熱機械的ドリフトを補正することは、システムフレームに対するプローブの変位を独立して測定することと、非接触センサを用いてシステムフレームに対する試料の変位を独立して測定することとを含む。方法１２００のいくつかの選択肢が次に起こる。一実施例において、熱機械的ドリフトを補正することは、レーザー源からのコヒーレント光ビームを少なくとも第１及び第２の成分ビームに分割することを含む。加えて、熱機械的ドリフトを補正することは、第１成分ビームを、ファイバ１０２０のファイバ端部１０２５から、機械的試験機器１１４、試料３００又は試料ステージのうちの１つに対して方向付けることを任意選択で含む。さらに、熱機械的ドリフトを補正することは、第１及び第２の成分ビームを結合することを任意選択で含む。さらになお、熱機械的ドリフトを補正することは、プローブと試料との間の差分変位を判定することを任意選択で含み、位相差は、システムフレーム１０１０等の構成要素の熱機械的ドリフトに対応し、ファイバ端部１０２５が機械的試験機器１１４（又は１０４０）に連結されて、（システムフレーム１０１０に対応する）試料３００の動きを検出する。
【００９１】
一実施例において、方法１２００は、プローブ３１０の変位を判定することを含む。例えば、第１干渉計は、プローブ３１０又は機械的試験機器１１４（もしくは１０４０）（例、該機器の残りの部分）の機器ハウジングのうちの１つに向けて方向付けられる。第２干渉計は、機械的試験機器１１４（又は１０４０）の残りの部分に対するプローブの変位を測定する。差（一実施例におけるシステムフレーム１０１０の熱機械的ドリフトに対応する）を使用して試料３００に対するプローブ３１０の変位を判定することによって、熱機械的ドリフトを分離して除去する。
様々な注記及び実施例
態様１は、主題（装置、システム、デバイス、方法、行為を行うための手段、又はデバイスによって行われたときにデバイスに行為を行わせることのできる命令を含むデバイス可読媒体、又は製品等）を含むこと又は使用することができ、例えば、プローブを有する機械的試験機器を加熱するように構成されたプローブ加熱ジャケットであって、プローブ加熱ジャケットは、機械的試験機器に連結するように構成された少なくとも１つの固締インターフェースと、少なくとも１つの固締インターフェースから延びている加熱素子とを備えており、加熱素子は、少なくとも１つの固締インターフェースに連結されているジャケット壁を含み、ジャケット壁は、プローブ用中空部の周りに延びており、ジャケット壁は、プローブ用中空部内に機械的試験機器のプローブを受け入れるように構成されており、加熱素子は、プローブ間隙でプローブから機械的に分離されている、プローブ加熱ジャケットを含むこと又は使用することができる。
【００９２】
態様２は、ジャケット壁がプローブ用中空部に面する内面を含み、内面は、熱をプローブ間隙越しにプローブに方向付けるように構成されている、ことを含むこともしくは使用することができ、又はこれを任意選択で含むためにもしくは使用するために、任意選択で態様１の主題と組み合わせることができる。
【００９３】
態様３は、ジャケット壁が放射加熱素子である、ことを含むこともしくは使用することができ、又はこれを任意選択で含むためにもしくは使用するために、任意選択で態様１又は２の１つ又は任意の組み合わせの主題と組み合わせることができる。
【００９４】
態様４は、ジャケット壁が誘導加熱素子である、ことを含むこともしくは使用することができ、又はこれを任意選択で含むためにもしくは使用するために、任意選択で態様１〜３の１つ又は任意の組み合わせの主題と組み合わせることができる。
【００９５】
態様５は、機械的試験機器とプローブとを含むこともしくは使用することができ、又はこれを任意選択で含むためにもしくは使用するために、任意選択で態様１〜３の１つ又は任意の組み合わせの主題と組み合わせることができる。
【００９６】
態様６は、プローブは、ジャケット壁のプローブ用中空部に受け入れられて、プローブは、加熱素子から機械的に分離しており、プローブは、プローブ間隙によってジャケット壁の内面から離間している、ことを含むこともしくは使用することができ、又はこれを任意選択で含むためにもしくは使用するために、任意選択で態様５の主題と組み合わせることができる。
【００９７】
態様７は、機械的試験機器は、プローブ用中空部内でプローブを移動させるように構成されており、プローブの移動は、ジャケット壁から機械的に分離している、ことを含むこともしくは使用することができ、又はこれを任意選択で含むためにもしくは使用するために、任意選択で態様５又は６の１つ又は任意の組み合わせの主題と組み合わせることができる。
【００９８】
態様８は、プローブは、加熱ジャケットに対して１つ以上の自由度を有する、ことを含むこともしくは使用することができ、又はこれを任意選択で含むためにもしくは使用するために、任意選択で態様７の主題と組み合わせることができる。
【００９９】
態様９は、ジャケット壁はジャケットプロファイルを含み、プローブはプローブプロファイルを含み、プローブプロファイルはジャケットプロファイルと対応し、その間にプローブ間隙が設けられ、加熱素子及びプローブ、ジャケット壁は、プローブに近接して、対応するジャケットプロファイル及びプローブプロファイルに応じてプローブを取り囲む、ことを含むこともしくは使用することができ、又はこれを任意選択で含むためにもしくは使用するために、任意選択で態様５〜８の１つ又は任意の組み合わせの主題と組み合わせることができる。
【０１００】
態様１０は、主題（装置、システム、デバイス、方法、行為を行うための手段、又はデバイスによって行われたときにデバイスに行為を行わせることのできる命令を含むデバイス可読媒体、又は製品等）を含むこと又は使用することができ、例えば、材料の試料の１つ以上の機械的特性を試験するように構成された可動プローブを有する機械的試験機器と、機械的試験システムを加熱するように構成されたプローブ加熱ジャケットとを備える機械的試験システムであって、プローブ加熱ジャケットは、機械的試験機器に連結するように構成された少なくとも１つの固締インターフェースと、少なくとも１つの固締インターフェースから延びている加熱素子とを含み、加熱素子は、少なくとも１つの固締インターフェースに連結されているジャケット壁を含み、ジャケット壁は、プローブ用中空部の周りに延びており、ジャケット壁は、プローブ用中空部内に機械的試験機器のプローブを受け入れるように構成されており、加熱素子は、プローブ間隙でプローブから機械的に分離している、機械的試験システムを含むこと又は使用することができる。
【０１０１】
態様１１は、機械的試験システムは、プローブ用中空部内でプローブを移動させるように構成されており、プローブの移動は、ジャケット壁から機械的に分離している、ことを含むこともしくは使用することができ、又はこれを任意選択で含むためにもしくは使用するために、任意選択で態様１０の主題と組み合わせることができる。
【０１０２】
態様１２は、プローブの移動は、プローブ用中空部内での並進、回転又は横方向引っ掻き移動のうちの１つ以上を含み、ジャケット壁は、１つ以上の移動のそれぞれに伴いプローブを機械的に分離する、ことを含むこともしくは使用することができ、又はこれを任意選択で含むためにもしくは使用するために、任意選択で態様１１の主題と組み合わせることができる。
【０１０３】
態様１３は、ジャケット壁はジャケットプロファイルを含み、プローブはプローブプロファイルを含み、プローブプロファイルはジャケットプロファイルと対応し、その間にプローブ間隙が設けられ、加熱素子及びプローブ、ジャケット壁は、プローブに近接して、対応するジャケットプロファイル及びプローブプロファイルに応じてプローブを取り囲む、ことを含むこともしくは使用することができ、又はこれを任意選択で含むためにもしくは使用するために、任意選択で態様１０〜１２の１つ又は任意の組み合わせの主題と組み合わせることができる。
【０１０４】
態様１４は、加熱素子は、放射加熱素子、対流加熱素子、又は誘導加熱素子である、ことを含むこともしくは使用することができ、又はこれを任意選択で含むためにもしくは使用するために、任意選択で態様１３の主題と組み合わせることができる。
【０１０５】
態様１５は、環境コンディショニングチャンバであって、チャンバは、調節された環境を提供するように構成されており、調節された環境は、チャンバの周囲環境とは異なる１つ以上の環境特徴を有する、環境コンディショニングチャンバを含むこともしくは使用することができ、又はこれを任意選択で含むためにもしくは使用するために、任意選択で態様１０〜１４の１つ又は任意の組み合わせの主題と組み合わせることができる。
【０１０６】
態様１６は、１つ以上の環境特徴は、温度、圧力、湿度又は流体組成を含む、ことを含むこともしくは使用することができ、又はこれを任意選択で含むためにもしくは使用するために、任意選択で態様１５の主題と組み合わせることができる。
【０１０７】
態様１７は、プローブ加熱ジャケットは、環境コンディショニングチャンバ内に配置される、ことを含むこともしくは使用することができ、又はこれを任意選択で含むためにもしくは使用するために、任意選択で態様１５又は１６の１つ又は任意の組み合わせの主題と組み合わせることができる。
【０１０８】
態様１８は、主題（装置、システム、デバイス、方法、行為を行うための手段、又はデバイスによって行われたときにデバイスに行為を行わせることのできる命令を含むデバイス可読媒体、又は製品等）を含むこと又は使用することができ、例えば、材料の機械的特性を試験するための方法であって、ジャケット壁を有するプローブ加熱ジャケットのプローブ用中空部内に機械的試験機器のプローブを配置することであって、ジャケット壁は、プローブのプローブプロファイルと対応するジャケットプロファイルを含み、ジャケット壁は、ジャケットプロファイルのプローブプロファイルへの対応に応じてプローブに近接している、配置することと、プローブ加熱ジャケットの加熱素子に通電することと、ジャケットプロファイルのプローブプロファイルへの対応に応じてプローブ間隙を通してジャケット壁からプローブに熱を方向付けて、プローブの温度を変えることと、機械的又は電気機械的試験を行うためにプローブを移動させることと、を備えており、プローブの移動中、プローブは、ジャケット壁から機械的に分離している、方法を含むこと又は使用することができる。
【０１０９】
態様１９は、プローブを移動させることは、プローブ用中空部内での並進、回転又は横方向引っ掻き移動のうちの１つ以上を含み、ジャケット壁は、１つ以上の移動のそれぞれに伴いプローブを機械的に分離する、ことを含むこともしくは使用することができ、又はこれを任意選択で含むためにもしくは使用するために、任意選択で態様１８の主題と組み合わせることができる。
【０１１０】
態様２０は、プローブを材料の試料と係合する、ことを含むこともしくは使用することができ、又はこれを任意選択で含むためにもしくは使用するために、任意選択で態様１８又は１９の１つ又は任意の組み合わせの主題と組み合わせることができる。
【０１１１】
態様２１は、プローブを試料と係合することは、機械的試験機器を用いてプローブに力を加えることを含む、ことを含むこともしくは使用することができ、又はこれを任意選択で含むためにもしくは使用するために、任意選択で態様１８〜２０の１つ又は任意の組み合わせの主題と組み合わせることができる。
【０１１２】
態様２２は、主題（装置、システム、デバイス、方法、行為を行うための手段、又はデバイスによって行われたときにデバイスに行為を行わせることのできる命令を含むデバイス可読媒体、又は製品等）を含むこと又は使用することができ、例えば、試料ステージと、システムフレームに連結された機械的試験機器とを有する機械的試験アセンブリを用いて熱機械的ドリフトを補正するための方法であって、方法は、機械的試験機器のプローブを、試料ステージに連結されている試料と係合することであって、機械的試験機器、試料又は試料ステージのうちの１つ以上が熱機械的ドリフトを受ける、係合することと、係合されたプローブを試料に対して負荷により変位させることと、変位又は負荷のうちの１つ以上を測定することと、変位及び負荷に応じてプローブを用いて試料の１つ以上の特徴を判定することと、試料に対するプローブの測定された変位、又は判定された１つ以上の特徴のうちの１つ以上における熱機械的ドリフトを補正することとを備えており、補正することは、システムフレームに対するプローブの変位を独立して測定することと、非接触センサを用いてシステムフレームに対する試料の変位を独立して測定することとを含む、方法を含むこと又は使用することができる。
【０１１３】
態様２３は、プローブの変位又は試料の変位を測定することは、直交位相検波又は干渉縞計数方式のうちの１つ以上を含む、ことを含むこともしくは使用することができ、又はこれを任意選択で含むためにもしくは使用するために、任意選択で態様２２の主題と組み合わせることができる。
【０１１４】
態様２４は、非接触センサは、レーザー干渉計、ファイバ光変位センサ、共焦点センサ、又は静電容量センサのうちの１つ以上を含む、ことを含むこともしくは使用することができ、又はこれを任意選択で含むためにもしくは使用するために、任意選択で態様２２又は２３の１つ又は任意の組み合わせの主題と組み合わせることができる。
【０１１５】
態様２５は、非接触センサがレーザー干渉計であり、独立して測定することは、１つ以上の光ファイバに入るコヒーレントビームを発生させることと、１つ以上の光ファイバを通してファイバ端部にコヒーレント光ビームを伝送することと、コヒーレント光ビームを第１成分ビームと第２成分ビームとに分割することと、第１成分ビームを媒体とのファイバインターフェースに反射することと、第２成分ビームを試料、試料ステージ又は機械的試験機器に反射することと、光学検出器で第１成分ビーム及び第２成分ビームを結合することと、結合された第１成分ビーム及び第２成分ビームを同期復調することによって、システムフレームに対する試料、試料ステージ、又は機械的試験機器の変位を判定することとを含む、ことを含むこともしくは使用することができ、又はこれを任意選択で含むためにもしくは使用するために、任意選択で態様２２〜２４の１つ又は任意の組み合わせの主題と組み合わせることができる。
【０１１６】
態様２６は、熱機械的ドリフトを補正することは、プローブと試料との係合又は１つ以上の特徴の測定それぞれの能動的又は受動的な補正のうちの少なくとも１つを含む、ことを含むこともしくは使用することができ、又はこれを任意選択で含むためにもしくは使用するために、任意選択で態様２２〜２５の１つ又は任意の組み合わせの主題と組み合わせることができる。
【０１１７】
態様２７は、熱機械的ドリフトを補正することは、熱機械的ドリフトを打ち消すために、プローブ又は試料のうちの１つ以上の並進駆動を含む熱機械的ドリフトの能動的補正を含む、ことを含むこともしくは使用することができ、又はこれを任意選択で含むためにもしくは使用するために、任意選択で態様２２〜２６の１つ又は任意の組み合わせの主題と組み合わせることができる。
【０１１８】
態様２８は、熱機械的ドリフトを補正することは、試料の１つ以上の特徴の判定中、熱機械的ドリフトの差し引きを含む熱機械的ドリフトの受動的補正を含む、ことを含むこともしくは使用することができ、又はこれを任意選択で含むためにもしくは使用するために、任意選択で態様２２か〜ら２７の１つ又は任意の組み合わせの主題と組み合わせることができる。
【０１１９】
態様２９は、主題（装置、システム、デバイス、方法、行為を行うための手段、又はデバイスによって行われたときにデバイスに行為を行わせることのできる命令を含むデバイス可読媒体、又は製品等）を含むこと又は使用することができ、例えば、機械的試験アセンブリにおける熱機械的ドリフトを補正するシステムであって、熱機械的ドリフトを受けるシステムフレームと、システムフレームに連結されている試料ステージと、システムフレームに連結されている機械的試験機器であって、試料と係合して、試料に対する深さを負荷により変位させるように構成された可動プローブを含む機械的試験機器と、機械的試験機器に連結されているレーザー干渉計システムであって、レーザー干渉計システムは、プローブと機械的試験機器の残りの部分との間に連結されている第１干渉計であって、機械的試験機器の残りの部分に対するプローブのプローブ変位を判定するように構成された第１干渉計と、機械的試験機器とシステムフレームとの間に連結されている第２干渉計であって、機械的試験機器に対する試料ステージ又は試料の試料変位を判定するように構成された第２干渉計と、を含むレーザー干渉計システムと、プローブ変位と試料変位との差を判定し、プローブ変位と試料変位との判定された差を用いて、機械的試験機器をシステムフレームの熱機械的ドリフトから分離するように構成された分離・測定モジュールとを備える、システムを含むこと又は使用することができる。
【０１２０】
態様３０は、第１ファイバ端部又は第２ファイバ端部を揺動して、変調された光学信号を提供するように構成された電気機械的発振器を含むこともしくは使用することができ、又は任意選択で含むためにもしくは使用するために、任意選択で態様２９の主題と組み合わせることができる。
【０１２１】
態様３１は、第１干渉計又は第２干渉計のファイバを動的に伸長させて、ファイバ内の熱誘導されたドリフトを軽減するように構成されたファイバストレッチャを含むこともしくは使用することができ、又は任意選択で含むためにもしくは使用するために、任意選択で態様２９又は３０の１つ又は任意の組み合わせの主題と組み合わせることができる。
【０１２２】
態様３２は、ファイバストレッチャが電気機械的素子を含む、ことを含むこともしくは使用することができ、又は任意選択で含むためにもしくは使用するために、任意選択で態様３１の主題と組み合わせることができる。
【０１２３】
態様３３は、実施例１〜２０の機能のいずれか１つ以上を行うための手段を含むことができる主題、又は機械によって行われたときに、機械に実施例１〜２０の機能のいずれか１つ以上を行わせる命令を含む機械可読媒体、を含むこともしくは使用することができ、又はこれを含むためにもしくは使用するために、任意選択で態様１〜３３のいずれか１つ以上の任意の部分又は任意の部分の組み合わせと組み合わせることができる。
【０１２４】
これらの非制限的な実施例のそれぞれは単独で成立することができ、又は他の実施例の１つ以上との様々な入れ替え又は組み合わせで組み合わせることができる。
上記説明は、詳細な説明の一部を成す添付の図面の参照を含む。図面は、例示として、本発明を実施することのできる特定の実施形態を示している。これらの実施形態は、本明細書において、「実施例」ともいう。該実施例は、図示又は説明したものの他に要素を含むことができる。しかし、本発明者らは、図示又は説明される要素のみが設けられる実施例も企図している。また、本発明者らは、特定の実施例（又はその１つもしくは複数の態様）に関して、又は本明細書で図示又は説明する他の実施例（又はその１つもしくは複数の態様）に関してのどちらについても、図示又は説明する要素（又はその１つもしくは複数の態様）の組み合わせ又は入れ替えを使用した実施例も企図している。
【０１２５】
本文書と、参照によりそのように援用された任意の文書との間に矛盾した使用法がある場合、本文書の使用法が優先する。
本文書において、特許文書で一般的なように、用語「ａ」又は「ａｎ」は、任意の他の場合又は「少なくとも１つ」もしくは「１つ以上」の使用法とは独立して、１つ又は１つより多いものを含むために使用される。本文書において、用語「又は、もしくは（ｏｒ）」は非排他的なものをいうために使用され、又は、そのため「Ａ又はＢ」とは、別の指示がない限り、「ＡであるがＢではない」、「ＢであるがＡではない」及び「Ａ及びＢ」を含む。本文書において、用語「含む（ｉｎｃｌｕｄｉｎｇ）」及び「ｉｎ  ｗｈｉｃｈ」は、それぞれ、用語「備える（ｃｏｍｐｒｉｓｉｎｇ）」及び「ｗｈｅｒｅｉｎ」のプレインイングリッシュの相当語として使用される。また、以下の特許請求の範囲において、「含む（ｉｎｃｌｕｄｉｎｇ）」及び「備える（ｃｏｍｐｒｉｓｉｎｇ）」はオープンエンドであり、すなわち、ある請求項においてこのような用語の後に挙げられるものに加えて要素を含むシステム、デバイス、物品、組成、配合又はプロセスは、なおその請求項の範囲内にあると見なされる。また、以下の特許請求の範囲において、用語「第１」、「第２」、及び「第３」等は単に標記として使用され、その対象に対して数字的な要件を課すことを意図していない。
【０１２６】
「平行な」、「垂直な」、「丸い」、又は「四角い」等の幾何学的な用語は、文脈により別のことが示されない限り、絶対的な数学的精密さを要求することを意図していない。代わりに、こうした幾何学的用語は、製造又は同等の機能による変型を許す。例えば、ある要素が「丸い」又は「略丸い」と記述される場合、厳密に円形ではない構成要素（例、やや長円である、又は多辺形であるもの）もなお、この記述によって包含される。
【０１２７】
本明細書で説明される方法の実施例は、少なくとも部分的に、機械又はコンピュータにより実施することができる。いくつかの実施例は、上記実施例で説明される方法を実行するために電子デバイスを構成するように動作可能な命令で符号化されたコンピュータ可読媒体又は機械可読媒体を含むことができる。該方法の実施態様は、例えばマイクロコード、アセンブリ言語コード、高水準言語コード等のコードを含むことができる。こうしたコードは、様々な方法を実行するためのコンピュータ可読命令を含むことができる。コードは、コンピュータプログラム製品の部分を形成してもよい。さらに、一実施例において、コードは、実行中又は他の時等、１つ以上の揮発性、不揮発性、又は揮発性の有形コンピュータ可読媒体に有形に格納することができる。これらの有形コンピュータ可読媒体の例には、ハードディスク、リムーバブル磁気ディスク、リムーバブル光学ディスク（例、コンパクトディスク及びデジタルビデオディスク）、磁気カセット、メモリカード又はメモリスティック、ランダムアクセスメモリ（ＲＡＭ）、読み取り専用メモリ（ＲＯＭ）等を含むことができるが、これだけに限定されない。
【０１２８】
上記説明は、例示的であることを意図しており、制限的なものではない。例えば、前述の実施例（又はその１つもしくは複数の態様）は、互いに組み合わせて使用してもよい。当業者が上記説明を検討することによる等して、他の実施形態を使用することができる。要約は、３７  Ｃ．Ｆ．Ｒ．第１．７２条（ｂ）に準拠して提供されており、読む者が技術的開示の性質を素早く確認できるようにされている。これは、特許請求の範囲の範囲又は意味を解釈又は制限するために使用されないという了解のもとに提出されるものである。また、上記「発明を実施するための形態」において、開示を簡素化するために様々な特徴を一緒にまとめていることがある。これは、請求されていないが開示されている特徴が任意の請求項にとって必須のものであることを意図していると解釈されるべきではない。むしろ、発明の主題は、開示されている特定の実施形態のすべての特徴よりも少ない特徴に存在しうる。したがって、以下の特許請求の範囲は、実施例又は実施形態として「発明を実施するための形態」に援用され、各請求項は、個々の実施形態として単独で成立しており、該実施形態は、様々な組み合わせ又は入れ替えで互いに組み合わせることができることが企図されている。本発明の範囲は、添付の特許請求の範囲が適用される均等物の完全な範囲と合わせて、かかる特許請求の範囲を参照して判断するべきである。
【図１】
2021503080.tif 000003
【図２】
2021503080.tif 000004
【図３】
2021503080.tif 000005
【図４】
2021503080.tif 000006
【図５】
2021503080.tif 000007
【図６】
2021503080.tif 000008
【図７】
2021503080.tif 000009
【図８】
2021503080.tif 000010
【図９】
2021503080.tif 000011
【図１０】
2021503080.tif 000012
【図１１】
2021503080.tif 000013
【図１２】
2021503080.tif 000014
【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
プローブを有する機械的試験機器を加熱するように構成されたプローブ加熱ジャケットにおいて、前記プローブ加熱ジャケットは、
前記機械的試験機器に連結されるように構成された少なくとも１つの固締インターフェースと、
前記少なくとも１つの固締インターフェースから延びている加熱素子とを備え、前記加熱素子は、
前記少なくとも１つの固締インターフェースに連結されているジャケット壁を有し、
前記ジャケット壁は、プローブ用中空部の周りに延びており、前記ジャケット壁は、前記プローブ用中空部内に前記機械的試験機器の前記プローブを受け入れ、前記加熱素子は、プローブ間隙で前記プローブから機械的に分離され、
前記プローブ加熱ジャケットは、前記プローブのプローブ先端を現す、プローブ加熱ジャケット。
【請求項２】
前記ジャケット壁は前記プローブ用中空部に面する内面を有し、前記内面は、熱を前記プローブ間隙越しに前記プローブに方向付ける、請求項１に記載のプローブ加熱ジャケット。
【請求項３】
前記ジャケット壁が放射加熱素子である、請求項１に記載のプローブ加熱ジャケット。
【請求項４】
前記ジャケット壁が誘導加熱素子である、請求項１に記載のプローブ加熱ジャケット。
【請求項５】
前記機械的試験機器と前記プローブとをさらに備える、請求項１に記載のプローブ加熱ジャケット。
【請求項６】
前記プローブは、前記ジャケット壁の前記プローブ用中空部に受け入れられ、前記プローブは、前記加熱素子から機械的に分離しており、前記プローブは、前記プローブ間隙によって前記ジャケット壁の前記内面から離間している、請求項５に記載のプローブ加熱ジャケット。
【請求項７】
前記機械的試験機器は、前記プローブ用中空部内で前記プローブを移動させ、前記プローブの移動は、前記ジャケット壁から機械的に分離している、請求項５に記載のプローブ加熱ジャケット。
【請求項８】
前記プローブは、前記加熱ジャケットに対して１つ以上の自由度を有する、請求項７に記載のプローブ加熱ジャケット。
【請求項９】
前記ジャケット壁はジャケットプロファイルを有し、
前記プローブはプローブプロファイルを有し、前記プローブプロファイルは前記ジャケットプロファイルと対応し、前記加熱素子及び前記プローブの間にプローブ間隙が設けられ、
前記ジャケット壁は、前記プローブに近接して、前記対応するジャケットプロファイル及びプローブプロファイルに応じて前記プローブを取り囲む、
請求項５に記載のプローブ加熱ジャケット。
【請求項１０】
機械的試験システムにおいて、
材料の試料の１つ以上の機械的特性を試験する可動プローブを有する機械的試験機器と、
前記機械的試験機器を加熱するプローブ加熱ジャケットとを備え、前記プローブ加熱ジャケットは、
前記機械的試験機器に連結する少なくとも１つの固締インターフェースと、
前記少なくとも１つの固締インターフェースから延びている加熱素子と備え、前記加熱素子は、
前記少なくとも１つの固締インターフェースに連結されているジャケット壁を有し、
前記ジャケット壁は、プローブ用中空部の周りに延びており、前記ジャケット壁は、前記プローブ用中空部内に前記機械的試験機器のプローブを受け入れ、前記加熱素子は、プローブ間隙で前記プローブから機械的に分離し、
前記プローブのプローブ先端は前記プローブ加熱ジャケットよりも外側に延びている、機械的試験システム。
【請求項１１】
前記機械的試験機器は、前記プローブ用中空部内で前記プローブを移動させ、前記プローブの移動は、前記ジャケット壁から機械的に分離している、請求項１０に記載の機械的試験システム。
【請求項１２】
プローブの移動には、前記プローブ用中空部内での並進、回転又は横方向引っ掻き移動のうちの１つ以上を含み、前記ジャケット壁は、前記プローブを前記１つ以上の移動のそれぞれに伴い機械的に分離する、請求項１１に記載の機械的試験システム。
【請求項１３】
前記ジャケット壁はジャケットプロファイルを有し、
前記プローブはプローブプロファイルを含み、前記プローブプロファイルは前記ジャケットプロファイルと対応し、前記加熱素子及び前記プローブの間にプローブ間隙が設けられ、
前記ジャケット壁は、前記プローブに近接して、前記対応するジャケットプロファイル及びプローブプロファイルに応じて前記プローブを取り囲む、
請求項１０に記載の機械的試験システム。
【請求項１４】
前記加熱素子は、放射加熱素子、対流加熱素子、又は誘導加熱素子である、請求項１３に記載の機械的試験システム。
【請求項１５】
環境コンディショニングチャンバをさらに備えており、前記チャンバは、調節された環境を提供し、前記調節された環境は、前記チャンバの周囲環境とは異なる１つ以上の環境特徴を有する、請求項１０に記載の機械的試験システム。
【請求項１６】
前記１つ以上の環境特徴は、温度、圧力、湿度又は流体組成からなる、請求項１５に記載の機械的試験システム。
【請求項１７】
前記プローブ加熱ジャケットは、前記環境コンディショニングチャンバ内に配置される、請求項１５に記載の機械的試験システム。
【請求項１８】
材料の機械的特性を試験するための方法において、
ジャケット壁を有するプローブ加熱ジャケットのプローブ用中空部内に機械的試験機器のプローブを配置する工程であって、前記ジャケット壁は、前記プローブのプローブプロファイルと対応するジャケットプロファイルを有し、前記ジャケット壁は、前記ジャケットプロファイルの前記プローブプロファイルへの対応に応じて前記プローブに近接し、前記プローブのプローブ先端は前記プローブ加熱ジャケットよりも外側に延びている、機械的試験機器のプローブを配置する工程と、
前記プローブ加熱ジャケットの加熱素子に通電する工程と、
前記ジャケットプロファイルの前記プローブプロファイルへの対応に応じたプローブ間隙を通して前記ジャケット壁から前記プローブに熱を方向付けて、前記プローブの温度を変える工程と、
機械的又は電気機械的試験を行うために前記プローブを移動させる工程とを備え、
前記プローブの移動中、前記プローブは、前記ジャケット壁から機械的に分離している、方法。
【請求項１９】
前記プローブを移動させる工程は、前記プローブ用中空部内での並進、回転又は横方向引っ掻き移動のうちの１つ以上を行い、前記ジャケット壁は、前記１つ以上の移動のそれぞれに伴い前記プローブを機械的に分離する、請求項１８に記載の方法。
【請求項２０】
前記プローブを材料の試料と係合する工程をさらに備える、請求項１８に記載の方法。
【請求項２１】
前記プローブを前記試料と係合する工程は、機械的試験機器を用いて前記プローブに力を加える工程からなる、請求項１８に記載の方法。
【請求項２２】
試料ステージと、システムフレームに連結された機械的試験機器とを有する機械的試験アセンブリを用いて熱機械的ドリフトを補正するための方法において、
前記機械的試験機器のプローブを、前記試料ステージに連結されている試料と係合する工程であって、前記機械的試験機器、前記試料又は前記試料ステージのうちの１つ以上が熱機械的ドリフトを受ける、前記機械的試験機器のプローブを係合する工程と、
前記係合されたプローブを前記試料に対して負荷により変位させる工程と、
前記変位又は前記負荷のうちの１つ以上を測定する工程と、
前記変位及び前記負荷に応じて前記プローブを用いて前記試料の１つ以上の特徴を判定する工程と、
前記試料に対する前記プローブの前記測定された変位、又は前記判定された１つ以上の特徴のうちの１つ以上における前記熱機械的ドリフトを補正する工程とを備え、前記熱機械的ドリフトを補正する工程は、
前記システムフレームに対する前記プローブの変位を独立して測定する工程と、非接触センサを用いて前記システムフレームに対する前記試料の変位を独立して測定する工程とを含んでなる、方法。
【請求項２３】
前記プローブの前記変位又は前記試料の前記変位を測定する工程は、直交位相検波又は干渉縞計数方式のうちの１つ以上を含む、請求項２２に記載の方法。
【請求項２４】
前記非接触センサは、レーザー干渉計、ファイバ光変位センサ、共焦点センサ、又は静電容量センサのうちの１つ以上からなる、請求項２２に記載の方法。
【請求項２５】
前記非接触センサがレーザー干渉計であり、前記独立して測定する工程は、
１つ以上の光ファイバに入るコヒーレント光ビームを発生させる工程と、
前記１つ以上の光ファイバを通してファイバ端部に前記コヒーレント光ビームを伝送する工程と、
前記コヒーレント光ビームを第１成分ビームと第２成分ビームとに分割する工程と、
前記第１成分ビームを媒体とのファイバインターフェースに反射する工程と、
前記第２成分ビームを前記試料、前記試料ステージ又は前記機械的試験機器に反射する工程と、
光学検出器で前記第１成分ビーム及び前記第２成分ビームを結合する工程と、
前記結合された第１成分ビーム及び前記第２成分ビームを同期復調することによって、前記システムフレームに対する前記試料、前記試料ステージ、又は前記機械的試験機器の変位を判定する工程とを備える、請求項２２に記載の方法。
【請求項２６】
前記熱機械的ドリフトを補正する工程は、前記プローブと前記試料との係合又は前記１つ以上の特徴の測定それぞれの能動的又は受動的な補正のうちの少なくとも１つを含んでなる、請求項２２に記載の方法。
【請求項２７】
前記熱機械的ドリフトを補正する工程は、前記熱機械的ドリフトを打ち消すために、前記プローブ又は前記試料のうちの１つ以上の並進駆動を含む熱機械的ドリフトの能動的補正を含んでなる、請求項２２に記載の方法。
【請求項２８】
前記熱機械的ドリフトを補正する工程は、前記試料の前記１つ以上の特徴の前記判定中、前記熱機械的ドリフトの差し引きを含む熱機械的ドリフトの受動的補正を含んでなる、請求項２２に記載の方法。
【請求項２９】
機械的試験アセンブリにおける熱機械的ドリフトを補正するシステムにおいて、
熱機械的ドリフトを受けるシステムフレームと、
前記システムフレームに連結されている試料ステージと、
前記システムフレームに連結されている機械的試験機器であって、試料と係合して、前記試料に対する深さを負荷により変位させるように構成された可動プローブを含む、機械的試験機器と、
前記機械的試験機器に連結されているレーザー干渉計システムであって、前記レーザー干渉計システムは、
前記プローブと前記機械的試験機器の残りの部分との間に連結されている第１干渉計であって、前記機械的試験機器の残りの部分に対する前記プローブのプローブ変位を判定するように構成された、第１干渉計と、
前記機械的試験機器と前記システムフレームとの間に連結されている第２干渉計であって、前記機械的試験機器に対する前記試料ステージ又は前記試料の試料変位を判定するように構成された、第２干渉計とを備える、レーザー干渉計システムと、
前記プローブ変位と前記試料変位との差を判定し、
前記プローブ変位と前記試料変位との前記判定された差を用いて、前記機械的試験機器を前記システムフレームの前記熱機械的ドリフトから分離する、分離・測定モジュールとを備える、システム。
【請求項３０】
第１ファイバ端部及び第２ファイバ端部を揺動して、変調された光学信号を提供する電気機械的発振器をさらに備える、請求項２９に記載のシステム。
【請求項３１】
前記第１干渉計又は前記第２干渉計のファイバを動的に伸長させて、前記ファイバ内の熱誘導されたドリフトを軽減するファイバストレッチャをさらに備える、請求項２９に記載のシステム。
【請求項３２】
前記ファイバストレッチャが電気機械的素子を備える、請求項３１に記載のシステム。
【国際調査報告】
2021503080.tif 000015
2021503080.tif 000016
2021503080.tif 000017